(57)【要約】【課題】特異的結合物質を含む溶液を、メンブレンフィルタなどの生化学解析用ユニットに滴下するスポッティング装置の滴下特性を、高い精度で、測定することができるスポッティング装置の滴下特性測定方法を提供する。【解決手段】所定の物性を有し、標識物質を含む計量された溶液を、生化学解析用ユニット１１１に形成された吸着性領域１１６に滴下し、生化学解析用ユニットの他の吸着性領域１１７に、スポッティング装置によって、同一の組成の溶液を滴下することを特徴とするスポッティング装置の滴下特性測定方法。【選択図】　　　図１８
2004037103.tif 000002
【特許請求の範囲】
【請求項１】
所定の物性を有し、標識物質を含む計量された溶液を、生化学解析用ユニットに形成された吸着性領域に滴下し、生化学解析用ユニットの他の吸着性領域に、スポッティング装置によって、同一の組成の溶液を滴下することを特徴とするスポッティング装置の滴下特性測定方法。
【請求項２】
所定の物性を有し、蛍光物質を含む計量された溶液を、生化学解析用ユニットに形成された吸着性領域に滴下し、生化学解析用ユニットの他の吸着性領域に、スポッティング装置によって、同一の組成の溶液を滴下したのち、前記生化学解析用ユニットの前記吸着性領域のそれぞれに、励起光を照射して、前記吸着性領域のそれぞれに含まれた前記蛍光物質を励起し、前記蛍光物質から放出された蛍光を光電的に検出して、前記吸着性領域のそれぞれのデータを生成し、前記吸着性領域のそれぞれのデータの信号強度に基づいて、前記吸着性領域のそれぞれに含まれた前記蛍光物質の量を比較し、スポッティング装置によって滴下された溶液の量を算出して、スポッティング装置の滴下特性を測定することを特徴とする請求項１に記載のスポッティング装置の滴下特性測定方法。
【請求項３】
前記蛍光物質が、波長の長い励起光によって励起可能であることを特徴とする請求項２に記載のスポッティング装置の滴下特性測定方法。
【請求項４】
所定の物性を有し、放射性標識物質を含む計量された溶液を、生化学解析用ユニットに形成された吸着性領域に滴下し、生化学解析用ユニットの他の吸着性領域に、スポッティング装置によって、同一の組成の溶液を滴下したのち、輝尽性蛍光体層が形成された蓄積性蛍光体シートを、前記生化学解析用ユニットに重ね合わせて、前記吸着性領域のそれぞれに含まれた前記放射性標識物質によって、前記蓄積性蛍光体シートの前記輝尽性蛍光体層を露光し、前記放射性標識物質によって露光された前記蓄積性蛍光体シートの前記輝尽性蛍光体層に、励起光を照射して、前記輝尽性蛍光体層に含まれている輝尽性蛍光体を励起し、前記輝尽性蛍光体から放出された輝尽光を光電的に検出して、前記吸着性領域のそれぞれのデータを生成し、前記吸着性領域のそれぞれのデータの信号強度に基づいて、前記吸着性領域のそれぞれに含まれた前記放射性標識物質の量を比較し、スポッティング装置によって滴下された溶液の量を算出して、スポッティング装置の滴下特性を測定することを特徴とする請求項１に記載のスポッティング装置の滴下特性測定方法。
【請求項５】
前記生化学解析用ユニットの前記吸着性領域を形成している吸着性材料ごとに、スポッティング装置の滴下特性を測定することを特徴とする請求項１ないし４のいずれか１項に記載のスポッティング装置の滴下特性測定方法。
【発明の詳細な説明】
【０００１】
【発明の属する技術分野】
本発明は、スポッティング装置の滴下特性を測定する方法に関するものであり、さらに詳細には、生体由来の物質と特異的に結合可能で、かつ、塩基配列や塩基の長さ、組成などが既知の特異的結合物質を含む溶液を、メンブレンフィルタなどの生化学解析用ユニットに滴下するスポッティング装置の滴下特性を、高い精度で、測定することができるスポッティング装置の滴下特性測定方法に関するものである。
【０００２】
【従来の技術】
放射線が照射されると、放射線のエネルギーを吸収して、蓄積、記録し、その後に、特定の波長域の電磁波を用いて励起すると、照射された放射線のエネルギーの量に応じた光量の輝尽光を発する特性を有する輝尽性蛍光体を、放射線の検出材料として用い、放射性標識を付与した物質を、生物体に投与した後、その生物体あるいはその生物体の組織の一部を試料とし、この試料を、輝尽性蛍光体層が設けられた蓄積性蛍光体シートと一定時間重ね合わせることにより、放射線エネルギーを輝尽性蛍光体に、蓄積、記録し、しかる後に、電磁波によって、輝尽性蛍光体層を走査して、輝尽性蛍光体を励起し、輝尽性蛍光体から放出された輝尽光を光電的に検出して、ディジタル画像信号を生成し、画像処理を施して、ＣＲＴなどの表示手段上あるいは写真フイルムなどの記録材料上に、画像を再生するように構成されたオートラジオグラフィ解析システムが知られている（たとえば、特公平１−７０８８４号公報、特公平１−７０８８２号公報、特公平４−３９６２号公報など）。
【０００３】
また、光が照射されると、光のエネルギーを吸収して、蓄積、記録し、その後に、特定の波長域の電磁波を用いて励起すると、照射された光のエネルギーの量に応じた光量の輝尽光を発する特性を有する輝尽性蛍光体を、光の検出材料として用い、蛋白質、遺伝子配列などの固定された高分子を、化学発光物質と接触して、化学発光を生じさせる標識物質により、選択的に標識し、標識物質によって選択的に標識された高分子と、化学発光物質とを接触させて、化学発光物質と標識物質との接触によって生ずる可視光波長域の化学発光を、蓄積性蛍光体シートに形成された輝尽性蛍光体層に含まれている輝尽性蛍光体に蓄積、記録し、しかる後に、電磁波によって、輝尽性蛍光体層を走査して、輝尽性蛍光体を励起し、輝尽性蛍光体から放出された輝尽光を光電的に検出して、ディジタル信号を生成し、データ処理を施して、ＣＲＴなどの表示手段上あるいは写真フイルムなどの記録材料上に、データを再生するように構成された化学発光解析システムが知られている（たとえば、米国特許第５，０２８，７９３号、英国特許出願公開ＧＢ第２，２４６，１９７Ａなど。）。
【０００４】
蓄積性蛍光体シートを放射線の検出材料として使用するこれらのシステムは、写真フイルムを用いる場合とは異なり、現像処理という化学的処理が不必要であるだけでなく、得られたディジタルデータにデータ処理を施すことにより、所望のように、解析用データを再生し、あるいは、コンピュータによる定量解析が可能になるという利点を有している。
【０００５】
他方、オートラジオグラフィ解析システムにおける放射性標識物質に代えて、蛍光色素などの蛍光物質を標識物質として使用した蛍光（ｆｌｕｏｒｅｓｃｅｎｃｅ）解析システムが知られている。この蛍光解析システムによれば、蛍光物質から放出された蛍光を検出することによって、遺伝子配列、遺伝子の発現レベル、実験用マウスにおける投与物質の代謝、吸収、排泄の経路、状態、蛋白質の分離、同定、あるいは、分子量、特性の評価などをおこなうことができ、たとえば、電気泳動されるべき複数種の蛋白質分子を含む溶液を、ゲル支持体上で、電気泳動させた後に、ゲル支持体を蛍光色素を含んだ溶液に浸すなどして、電気泳動された蛋白質を染色し、励起光によって、蛍光色素を励起して、生じた蛍光を検出することによって、画像を生成し、ゲル支持体上の蛋白質分子の位置および量的分布を検出したりすることができる。あるいは、ウェスタン・ブロッティング法により、ニトロセルロースなどの転写支持体上に、電気泳動された蛋白質分子の少なくとも一部を転写し、目的とする蛋白質に特異的に反応する抗体を蛍光色素で標識して調製したプローブと蛋白質分子とを会合させ、特異的に反応する抗体にのみ結合する蛋白質分子を選択的に標識し、励起光によって、蛍光色素を励起して、生じた蛍光を検出することにより、画像を生成し、転写支持体上の蛋白質分子の位置および量的分布を検出したりすることができる。また、電気泳動させるべき複数のＤＮＡ断片を含む溶液中に、蛍光色素を加えた後に、複数のＤＮＡ断片をゲル支持体上で電気泳動させ、あるいは、蛍光色素を含有させたゲル支持体上で、複数のＤＮＡ断片を電気泳動させ、あるいは、複数のＤＮＡ断片を、ゲル支持体上で、電気泳動させた後に、ゲル支持体を、蛍光色素を含んだ溶液に浸すなどして、電気泳動されたＤＮＡ断片を標識し、励起光により、蛍光色素を励起して、生じた蛍光を検出することにより、画像を生成し、ゲル支持体上のＤＮＡを分布を検出したり、あるいは、複数のＤＮＡ断片を、ゲル支持体上で、電気泳動させた後に、ＤＮＡを変性（ｄｅｎａｔｕｒａｔｉｏｎ）し、次いで、サザン・ブロッティング法により、ニトロセルロースなどの転写支持体上に、変性ＤＮＡ断片の少なくとも一部を転写し、目的とするＤＮＡと相補的なＤＮＡもしくはＲＮＡを蛍光色素で標識して調製したプローブと変性ＤＮＡ断片とをハイブリダイズさせ、プローブＤＮＡもしくはプローブＲＮＡと相補的なＤＮＡ断片のみを選択的に標識し、励起光によって、蛍光色素を励起して、生じた蛍光を検出することにより、画像を生成し、転写支持体上の目的とするＤＮＡの分布を検出したりすることができる。さらに、標識物質によって標識した目的とする遺伝子を含むＤＮＡと相補的なＤＮＡプローブを調製して、転写支持体上のＤＮＡとハイブリダイズさせ、酵素を、標識物質により標識された相補的なＤＮＡと結合させた後、蛍光基質と接触させて、蛍光基質を蛍光を発する蛍光物質に変化させ、励起光によって、生成された蛍光物質を励起して、生じた蛍光を検出することにより、画像を生成し、転写支持体上の目的とするＤＮＡの分布を検出したりすることもできる。この蛍光解析システムは、放射性物質を使用することなく、簡易に、遺伝子配列などを検出することができるという利点がある。
【０００６】
また、同様に、蛋白質や核酸などの生体由来の物質を支持体に固定し、化学発光基質と接触させることによって化学発光を生じさせる標識物質により、選択的に標識し、標識物質によって選択的に標識された生体由来の物質と化学発光基質とを接触させて、化学発光基質と標識物質との接触によって生ずる可視光波長域の化学発光を、光電的に検出して、ディジタル画像信号を生成し、画像処理を施して、ＣＲＴなどの表示手段あるいは写真フィルムなどの記録材料上に、化学発光画像を再生して、遺伝子情報などの生体由来の物質に関する情報を得るようにした化学発光解析システムも知られている。
【０００７】
さらに、近年、スライドガラス板やメンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、蛍光物質、色素などの標識物質によって標識された物質を、ハイブリダイゼーションなどによって、特異的結合物質に、特異的に結合させたマイクロアレイに、励起光を照射して、蛍光物質、色素などの標識物質から発せられた蛍光などの光を光電的に検出して、生体由来の物質を解析するマイクロアレイ解析システムが開発されている。このマイクロアレイ解析システムによれば、スライドガラス板やメンブレンフィルタなどの担体表面上の異なる位置に、数多くの特異的結合物質のスポットを高密度に形成して、標識物質によって標識された生体由来の物質をハイブリダイズさせることによって、短時間に、生体由来の物質を解析することが可能になるという利点がある。
【０００８】
また、メンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、放射性標識物質によって標識された物質を、ハイブリダイゼーションなどによって、特異的結合物質に、特異的に結合させたマクロアレイを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成し、生体由来の物質を解析する放射性標識物質を用いたマクロアレイ解析システムも開発されている。
【０００９】
【発明が解決しようとする課題】
マクロアレイ解析システムにおいては、スポッティング装置を用いて、生体由来の物質と特異的に結合可能で、かつ、塩基配列や塩基の長さ、組成などが既知の特異的結合物質を含む溶液を、メンブレンフィルタなどの生化学解析用ユニットの異なる領域に滴下して、特異的結合物質が吸着されれた複数のスポット状領域を形成し、放射性標識物質や蛍光物質などの標識物質によって標識された生体由来の物質を、生化学解析用ユニットの複数のスポット状領域に吸着された特異的結合物質に、ハイブリダイゼーションなどによって、選択的に、特異的結合させ、励起光によって、生化学解析用ユニットを走査して、生化学解析用ユニットの複数のスポット状領域から放出された蛍光を光電的に検出し、あるいは、蓄積性蛍光体シートの輝尽性蛍光体層を生化学解析用ユニットに重ね合わせて、生化学解析用ユニットの複数のスポット状領域に選択的に含まれた放射性標識物質によって、蓄積性蛍光体シートの輝尽性蛍光体層を露光し、励起光によって、露光された輝尽性蛍光体層を走査して、蓄積性蛍光体シートの輝尽性蛍光体層から放出された輝尽光を光電的に検出して、生化学解析用データを生成し、生化学解析を実行するように構成されており、生化学解析の定量性を向上させるために、生化学解析用ユニットの各スポット状領域に吸着された特異的結合物質の吸着量を正しく把握することが要求されている。
【００１０】
生化学解析用ユニットの各スポット状領域に吸着された特異的結合物質の吸着量を把握するためには、スポッティング装置によって、滴下される特異的結合物質を含む溶液の滴下量を把握することが必要であるが、スポッティング装置によって、滴下特性が異なるため、従来は、特定の物性を有する計量された溶液を、メンブレンフィルタなどの生化学解析用ユニットに滴下して、生成されたスポット状領域の面積と、スポッティング装置によって、同じ溶液が、生化学解析用ユニットに滴下されて、生成されたスポット状領域の面積とを比較して、スポッティング装置によって、滴下される特異的結合物質を含む溶液の滴下量を推定していた。
【００１１】
しかしながら、この方法は、間接的に、特異的結合物質を含む溶液の滴下量を推定するものであるため、測定されたスポッティング装置の滴下特性は信頼性が低く、また、金属などによって形成された基板に形成された複数の孔内に、吸着性材料を充填して、生化学解析用ユニットに、複数の吸着性領域が形成されている場合には、特定の物性を有する計量された溶液を、生化学解析用ユニットの吸着性領域に滴下したときに、吸着性領域の面積が、基板に形成された孔の面積に制限されるため、かかる方法により、スポッティング装置によって、滴下される特異的結合物質を含む溶液の滴下量を推定し、スポッティング装置の滴下特性を測定することはできなかった。
【００１２】
したがって、本発明は、生体由来の物質と特異的に結合可能で、かつ、塩基配列や塩基の長さ、組成などが既知の特異的結合物質を含む溶液を、メンブレンフィルタなどの生化学解析用ユニットに滴下するスポッティング装置の滴下特性を、高い精度で、測定することができるスポッティング装置の滴下特性測定方法を提供することを目的とするものである。
【００１３】
【課題を解決するための手段】
本発明のかかる目的は、所定の物性を有し、標識物質を含む計量された溶液を、生化学解析用ユニットに形成された吸着性領域に滴下し、生化学解析用ユニットの他の吸着性領域に、スポッティング装置によって、同一の組成の溶液を滴下することを特徴とするスポッティング装置の滴下特性測定方法によって達成される。
【００１４】
本発明によれば、所定の物性を有し、蛍光物質を含む計量された溶液を、生化学解析用ユニットに形成された吸着性領域に滴下し、その一方で、生化学解析用ユニットの他の吸着性領域に、スポッティング装置によって、同一の組成の溶液を滴下し、生化学解析用ユニットの吸着性領域のそれぞれに、励起光を照射して、蛍光物質を励起し、蛍光物質から放出された蛍光を光電的に検出して、吸着性領域のそれぞれのデータを生成し、吸着性領域のそれぞれのデータの信号強度に基づいて、吸着性領域のそれぞれに含まれた蛍光物質の量を比較し、スポッティング装置によって滴下された溶液の量を算出することによって、高い精度で、スポッティング装置によって滴下された溶液の量を検出し、スポッティング装置の滴下特性を測定することが可能になる．
また、本発明によれば、所定の物性を有し、放射性標識物質を含む計量された溶液を、生化学解析用ユニットに形成された吸着性領域に滴下し、生化学解析用ユニットの他の吸着性領域に、スポッティング装置によって、同一の組成の溶液を滴下したのち、輝尽性蛍光体層が形成された蓄積性蛍光体シートを、生化学解析用ユニットに重ね合わせて、吸着性領域のそれぞれに含まれた放射性標識物質によって、蓄積性蛍光体シートの輝尽性蛍光体層を露光し、放射性標識物質によって露光された蓄積性蛍光体シートの輝尽性蛍光体層に、励起光を照射して、輝尽性蛍光体層に含まれている輝尽性蛍光体を励起し、輝尽性蛍光体から放出された輝尽光を光電的に検出して、吸着性領域のそれぞれのデータを生成し、吸着性領域のそれぞれのデータの信号強度に基づいて、吸着性領域のそれぞれに含まれた放射性標識物質の量を比較し、スポッティング装置によって滴下された溶液の量を算出することによって、高い精度で、スポッティング装置によって滴下された溶液の量を検出し、スポッティング装置の滴下特性を測定することが可能になる．
本発明の好ましい実施態様においては、所定の物性を有し、蛍光物質を含む計量された溶液を、生化学解析用ユニットに形成された吸着性領域に滴下し、生化学解析用ユニットの他の吸着性領域に、スポッティング装置によって、同一の組成の溶液を滴下したのち、前記生化学解析用ユニットの前記吸着性領域のそれぞれに、励起光を照射して、前記吸着性領域のそれぞれに含まれた前記蛍光物質を励起し、前記蛍光物質から放出された蛍光を光電的に検出して、前記吸着性領域のそれぞれのデータを生成し、前記吸着性領域のそれぞれのデータの信号強度に基づいて、前記吸着性領域のそれぞれに含まれた前記蛍光物質の量を比較し、スポッティング装置によって滴下された溶液の量を算出して、スポッティング装置の滴下特性を測定するように構成されている。
【００１５】
本発明の好ましい実施態様によれば、所定の物性を有し、蛍光物質を含む計量された溶液を、生化学解析用ユニットに形成された吸着性領域に滴下し、生化学解析用ユニットの他の吸着性領域に、スポッティング装置によって、同一の組成の溶液を滴下したのち、生化学解析用ユニットの吸着性領域のそれぞれに、励起光を照射して、吸着性領域のそれぞれに含まれた蛍光物質を励起し、蛍光物質から放出された蛍光を光電的に検出して、吸着性領域のそれぞれのデータを生成し、吸着性領域のそれぞれのデータの信号強度の比を求めることによって、高い精度で、スポッティング装置によって滴下された溶液の量を検出することができるから、スポッティング装置の滴下特性を、高い精度で、測定することが可能になる。
【００１６】
本発明のさらに好ましい実施態様においては、蛍光物質として、波長の長い励起光によって、励起可能な蛍光物質が選ばれる。
【００１７】
励起光を、生化学解析用ユニットの吸着性領域に照射して、蛍光物質を励起する際、生化学解析用ユニットの吸着性領域を形成している吸着性材料からも、蛍光が放出され、蛍光を光電的に検出して生成されたデータ中にノイズを生成するが、本発明のさらに好ましい実施態様によれば、波長の長い励起光によって、励起可能な蛍光物質が用いられているから、吸着性領域を形成している吸着性材料が励起されて生成されたノイズを低減させることができ、したがって、高い精度で、スポッティング装置によって滴下された溶液の量を検出することが可能になるから、スポッティング装置の滴下特性を、高い精度で、測定することが可能になる。
【００１８】
本発明の別の好ましい実施態様においては、所定の物性を有し、放射性標識物質を含む計量された溶液を、生化学解析用ユニットに形成された吸着性領域に滴下し、生化学解析用ユニットの他の吸着性領域に、スポッティング装置によって、同一の組成の溶液を滴下したのち、輝尽性蛍光体層が形成された蓄積性蛍光体シートを、前記生化学解析用ユニットに重ね合わせて、前記吸着性領域のそれぞれに含まれた前記放射性標識物質によって、前記蓄積性蛍光体シートの前記輝尽性蛍光体層を露光し、前記放射性標識物質によって露光された前記蓄積性蛍光体シートの前記輝尽性蛍光体層に、励起光を照射して、前記輝尽性蛍光体層に含まれている輝尽性蛍光体を励起し、前記輝尽性蛍光体から放出された輝尽光を光電的に検出して、前記吸着性領域のそれぞれのデータを生成し、前記吸着性領域のそれぞれのデータの信号強度に基づいて、前記吸着性領域のそれぞれに含まれた前記放射性標識物質の量を比較し、スポッティング装置によって滴下された溶液の量を算出して、スポッティング装置の滴下特性を測定するように構成されている。
【００１９】
本発明の別の好ましい実施態様によれば、所定の物性を有し、放射性標識物質を含む計量された溶液を、生化学解析用ユニットに形成された吸着性領域に滴下し、生化学解析用ユニットの他の吸着性領域に、スポッティング装置によって、同一の組成の溶液を滴下したのち、輝尽性蛍光体層が形成された蓄積性蛍光体シートを、生化学解析用ユニットに重ね合わせて、吸着性領域のそれぞれに含まれた放射性標識物質によって、蓄積性蛍光体シートの輝尽性蛍光体層を露光し、放射性標識物質によって露光された蓄積性蛍光体シートの輝尽性蛍光体層に、励起光を照射して、輝尽性蛍光体層に含まれている輝尽性蛍光体を励起し、輝尽性蛍光体から放出された輝尽光を光電的に検出して、吸着性領域のそれぞれのデータを生成し、吸着性領域のそれぞれのデータの信号強度の比を求めることによって、高い精度で、スポッティング装置によって滴下された溶液の量を検出することができるから、スポッティング装置の滴下特性を、高い精度で、測定することが可能になる。
【００２０】
本発明のさらに好ましい実施態様においては、前記生化学解析用ユニットの前記吸着性領域を形成している吸着性材料ごとに、スポッティング装置の滴下特性を測定するように構成されている。
【００２１】
溶液を滴下したときの溶液の吸収量は、生化学解析用ユニットの吸着性領域を形成している吸着性材料によって異なり、したがって、同じスポッティング装置を用いて、生化学解析用ユニットの吸着性領域に、特異的結合物質を含む同じ溶液を滴下しても、生化学解析用ユニットの吸着性領域を形成している吸着性材料によって、生化学解析用ユニットの吸着性領域に吸着される特異的結合物質の吸着量が異なるが、本発明のさらに好ましい実施態様によれば、前記生化学解析用ユニットの前記吸着性領域を形成している吸着性材料ごとに、スポッティング装置の滴下特性が測定されているから、高い精度で、生化学解析用ユニットの吸着性領域に吸着された特異的結合物質の吸着量を検出することが可能になる。
【００２２】
本発明の好ましい実施態様においては、生化学解析用ユニットは、複数の孔が、互いに離間して、形成された基板を備え、前記基板に形成された前記複数の孔内に、吸着性材料が充填されて、複数の吸着性領域が形成されている。
【００２３】
本発明のさらに好ましい実施態様においては、生化学解析用ユニットは、複数の貫通孔が、互いに離間して、形成された基板を備え、前記基板に形成された前記複数の貫通孔内に、吸着性材料が充填されて、複数の吸着性領域が形成されている。
【００２４】
本発明のさらに好ましい実施態様においては、生化学解析用ユニットは、複数の貫通孔が、互いに離間して、形成された基板を備え、前記基板に形成された前記複数の貫通孔内に、吸着性材料を含む吸着性膜が圧入されて、複数の吸着性領域が形成されている。
【００２５】
本発明の別の好ましい実施態様においては、生化学解析用ユニットは、複数の貫通孔が、互いに離間して、形成された基板を備え、前記基板に形成された前記複数の貫通孔内に、吸着性材料が埋め込まれて、複数の吸着性領域が形成されている。
【００２６】
本発明の別の好ましい実施態様においては、生化学解析用ユニットは、複数の凹部が、互いに離間して、形成された基板を備え、前記基板に形成された前記複数の凹部内に、吸着性材料が充填されて、複数の吸着性領域が形成されている。
【００２７】
本発明のさらに好ましい実施態様においては、生化学解析用ユニットは、複数の凹部が、互いに離間して、形成された基板を備え、前記基板に形成された前記複数の凹部内に、吸着性材料が埋め込まれて、複数の吸着性領域が形成されている。
【００２８】
本発明の好ましい実施態様においては、前記生化学解析用ユニットの前記基板に、１０個以上の吸着性領域が形成されている。
【００２９】
本発明のさらに好ましい実施態様においては、前記生化学解析用ユニットの前記基板に、５０個以上の吸着性領域が形成されている。
【００３０】
本発明のさらに好ましい実施態様においては、前記生化学解析用ユニットの前記基板に、１００個以上の吸着性領域が形成されている。
【００３１】
本発明のさらに好ましい実施態様においては、前記生化学解析用ユニットの前記基板に、５００個以上の吸着性領域が形成されている。
【００３２】
本発明のさらに好ましい実施態様においては、前記生化学解析用ユニットの前記基板に、１０００個以上の吸着性領域が形成されている。
【００３３】
本発明のさらに好ましい実施態様においては、前記生化学解析用ユニットの前記基板に、５０００個以上の吸着性領域が形成されている。
【００３４】
本発明のさらに好ましい実施態様においては、前記生化学解析用ユニットの前記基板に、１００００個以上の吸着性領域が形成されている。
【００３５】
本発明のさらに好ましい実施態様においては、前記生化学解析用ユニットの前記基板に、５００００個以上の吸着性領域が形成されている。
【００３６】
本発明のさらに好ましい実施態様においては、前記生化学解析用ユニットの前記基板に、１０００００個以上の吸着性領域が形成されている。
【００３７】
本発明の好ましい実施態様においては、前記生化学解析用ユニットの前記複数の吸着性領域が、それぞれ、５平方ミリメートル未満のサイズを有するように、前記基板に形成されている。
【００３８】
本発明のさらに好ましい実施態様においては、前記生化学解析用ユニットの前記複数の吸着性領域が、それぞれ、１平方ミリメートル未満のサイズを有するように、前記基板に形成されている。
【００３９】
本発明のさらに好ましい実施態様においては、前記生化学解析用ユニットの前記複数の吸着性領域が、それぞれ、０．５平方ミリメートル未満のサイズを有するように、前記基板に形成されている。
【００４０】
本発明のさらに好ましい実施態様においては、前記生化学解析用ユニットの前記複数の吸着性領域が、それぞれ、０．１平方ミリメートル未満のサイズを有するように、前記基板に形成されている。
【００４１】
本発明のさらに好ましい実施態様においては、前記生化学解析用ユニットの前記複数の吸着性領域が、それぞれ、０．０５平方ミリメートル未満のサイズを有するように、前記基板に形成されている。
【００４２】
本発明のさらに好ましい実施態様においては、前記生化学解析用ユニットの前記複数の吸着性領域が、それぞれ、０．０１平方ミリメートル未満のサイズを有するように、前記基板に形成されている。
【００４３】
本発明の好ましい実施態様においては、前記生化学解析用ユニットの前記基板に、前記複数の吸着性領域が、１０個／平方センチメートル以上の密度で形成されている。
【００４４】
本発明のさらに好ましい実施態様においては、前記生化学解析用ユニットの前記基板に、前記複数の吸着性領域が、５０個／平方センチメートル以上の密度で形成されている。
【００４５】
本発明のさらに好ましい実施態様においては、前記生化学解析用ユニットの前記基板に、前記複数の吸着性領域が、１００個／平方センチメートル以上の密度で形成されている。
【００４６】
本発明のさらに好ましい実施態様においては、前記生化学解析用ユニットの前記基板に、前記複数の吸着性領域が、５００個／平方センチメートル以上の密度で形成されている。
【００４７】
本発明のさらに好ましい実施態様においては、前記生化学解析用ユニットの前記基板に、前記複数の吸着性領域が、１０００個／平方センチメートル以上の密度で形成されている。
【００４８】
本発明のさらに好ましい実施態様においては、前記生化学解析用ユニットの前記基板に、前記複数の吸着性領域が、５０００個／平方センチメートル以上の密度で形成されている。
【００４９】
本発明のさらに好ましい実施態様においては、前記生化学解析用ユニットの前記基板に、前記複数の吸着性領域が、１００００個／平方センチメートル以上の密度で形成されている。
【００５０】
本発明のさらに好ましい実施態様においては、前記生化学解析用ユニットの前記基板に、前記複数の吸着性領域が、５００００個／平方センチメートル以上の密度で形成されている。
【００５１】
本発明のさらに好ましい実施態様においては、前記生化学解析用ユニットの前記基板に、前記複数の吸着性領域が、１０００００個／平方センチメートル以上の密度で形成されている。
【００５２】
本発明の好ましい実施態様においては、前記生化学解析用ユニットの前記基板が、放射線エネルギーを減衰させる性質を有している。
【００５３】
本発明の好ましい実施態様によれば、生化学解析用ユニットの基板に、複数の吸着性領域を高密度に形成し、生化学解析用ユニットの複数の吸着性領域に、生体由来の物質と特異的に結合可能で、かつ、塩基配列や塩基の長さ、組成などが既知の特異的結合物質を含む溶液を滴下して、複数の吸着性領域内に、特異的結合物質を吸着させ、複数の吸着性領域に吸着された特異的結合物質に、放射性標識物質によって標識された生体由来の物質を、ハイブリダイゼーションなどによって、特異的に結合させて、複数の吸着性領域を、放射性標識物質によって、選択的に標識して、放射線データを記録し、複数の輝尽性蛍光体層領域が形成された蓄積性蛍光体シートを、生化学解析用ユニットに重ね合わせて、複数の吸着性領域に選択的に含まれた放射性標識物質によって、蓄積性蛍光体シートに形成された輝尽性蛍光体層を露光する場合においても、吸着性領域に含まれている放射性標識物質から放出された電子線（β線）が、生化学解析用ユニットの基板内で散乱することを効果的に防止することができるから、吸着性領域に含まれている放射性標識物質から放出された電子線（β線）を、対応する輝尽性蛍光体層の領域に、選択的に入射させて、対応する輝尽性蛍光体層の領域のみを露光することが可能になり、したがって、放射性標識物質によって露光された輝尽性蛍光体層を励起光によって走査し、輝尽性蛍光体層から放出された輝尽光を光電的に検出することによって、高い分解能で、定量性に優れた生化学解析用のデータを生成することが可能になる。
【００５４】
本発明の好ましい実施態様においては、前記生化学解析用ユニットの前記基板が、隣り合う前記吸着性領域の間の距離に等しい距離だけ、放射線が前記基板中を透過したときに、放射線のエネルギーを、１／５以下に減衰させる性質を有している。
【００５５】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１０以下に減衰させる性質を有している。
【００５６】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／５０以下に減衰させる性質を有している。
【００５７】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１００以下に減衰させる性質を有している。
【００５８】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／５００以下に減衰させる性質を有している。
【００５９】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１０００以下に減衰させる性質を有している。
【００６０】
本発明の好ましい実施態様においては、前記生化学解析用ユニットの前記基板が、光エネルギーを減衰させる性質を有している。
【００６１】
本発明の好ましい実施態様によれば、生化学解析用ユニットの基板に、複数の吸着性領域を高密度に形成し、生化学解析用ユニットの複数の吸着性領域に、生体由来の物質と特異的に結合可能で、かつ、塩基配列や塩基の長さ、組成などが既知の特異的結合物質を含む溶液を滴下して、複数の吸着性領域内に、特異的結合物質を吸着させ、複数の吸着性領域に吸着された特異的結合物質に、化学発光基質と接触させることによって化学発光を生じさせる標識物質によって標識された生体由来の物質を、ハイブリダイゼーションなどによって、特異的に結合させて、複数の吸着性領域を、化学発光基質と接触させることによって化学発光を生じさせる標識物質によって、選択的に標識して、化学発光データを記録し、こうして得られた生化学解析用ユニットに、化学発光基質を接触させて、複数の吸着性領域から、選択的に化学発光を放出させ、輝尽性蛍光体層が形成された蓄積性蛍光体シートを、化学発光を放出している生化学解析用ユニットに重ね合わせて、複数の吸着性領域から、選択的に放出された化学発光によって、蓄積性蛍光体シートに形成された輝尽性蛍光体層を露光する場合においても、吸着性領域から放出された化学発光が、生化学解析用ユニットの基板内で散乱することを効果的に防止することができるから、吸着性領域から放出された化学発光を、対応する輝尽性蛍光体層の領域に、選択的に入射させて、対応する輝尽性蛍光体層の領域のみを露光することが可能になり、したがって、化学発光によって露光された輝尽性蛍光体層を励起光によって走査し、輝尽性蛍光体層から放出された輝尽光を光電的に検出することによって、高い分解能で、定量性に優れた生化学解析用のデータを生成することが可能になる。
【００６２】
本発明の好ましい実施態様においては、前記生化学解析用ユニットの前記基板が、隣り合う前記吸着性領域の間の距離に等しい距離だけ、光が前記基板中を透過したときに、光のエネルギーを、１／５以下に減衰させる性質を有している。
【００６３】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１０以下に減衰させる性質を有している。
【００６４】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／５０以下に減衰させる性質を有している。
【００６５】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１００以下に減衰させる性質を有している。
【００６６】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／５００以下に減衰させる性質を有している。
【００６７】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１０００以下に減衰させる性質を有している。
【００６８】
本発明において、生化学解析用ユニットの基板を形成するための材料は、放射線エネルギーおよび／またはを減衰させる性質を有していることが好ましいが、とくに限定されるものではなく、無機化合物材料、有機化合物材料のいずれをも使用することができ、金属材料、セラミック材料またはプラスチック材料が、好ましく使用される。
【００６９】
本発明において、生化学解析用ユニットの基板を形成するために好ましく使用することのできる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。
【００７０】
本発明において、生化学解析用ユニットの基板を形成するために使用可能な有機化合物材料としては、高分子化合物が好ましく用いられ、好ましく使用することのできる高分子化合物としては、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【００７１】
一般に、比重が大きいほど、放射線の減衰能が高くなるので、生化学解析用ユニットの基板は、比重１．０ｇ／ｃｍ３以上の化合物材料または複合材料によって形成されることが好ましく、比重が１．５ｇ／ｃｍ３以上、２３ｇ／ｃｍ３以下の化合物材料または複合材料によって形成されることが、とくに好ましい。
【００７２】
一般に、光の散乱および／または吸収が大きいほど、光の減衰能が高くなるので、本発明において、生化学解析用ユニットの基板は、厚さ１ｃｍあたりの吸光度が０．３以上であることが好ましく、厚さ１ｃｍあたりの吸光度が１以上であれば、さらに好ましい。ここに、吸光度は、厚さＴｃｍの板状体の直後に、積分球を置き、計測に利用するプローブ光またはエミッション光の波長における透過光量Ａを分光光度計によって測定し、Ａ／Ｔを算出することによって、求められる。本発明において、光減衰能を向上させるために、光散乱体や光吸収体を、生化学解析用ユニットの基板に含有させることもできる。光散乱体としては、生化学解析用ユニットの基板を形成している材料と異なる材料の微粒子が用いられ、光吸収体としては、顔料または染料が用いられる。
【００７３】
本発明の別の好ましい実施態様においては、前記生化学解析用ユニットが、吸着性材料によって形成された吸着性基板を備えている。
【００７４】
本発明において、生化学解析用ユニットの吸着性領域あるいは吸着性基板を形成するために使用される吸着性材料としては、多孔質材料あるいは繊維材料が好ましく使用される。多孔質材料と繊維材料を併用して、吸着性領域あるいは吸着性基板を形成することもできる。
【００７５】
本発明において、生化学解析用ユニットの吸着性領域あるいは吸着性基板を形成するために使用される多孔質材料は、有機材料、無機材料のいずれでもよく、有機／無機複合体でもよい。
【００７６】
本発明において、生化学解析用ユニットの吸着性領域あるいは吸着性基板を形成するために使用される有機多孔質材料は、とくに限定されるものではないが、活性炭などの炭素材料あるいはメンブレンフィルタを形成可能な材料が、好ましく用いられる。具体的には、ナイロン６、ナイロン６，６、ナイロン４，１０などのナイロン類；ニトロセルロース、酢酸セルロース、酪酸酢酸セルロースなどのセルロース誘導体；コラーゲン；アルギン酸、アルギン酸カルシウム、アルギン酸／ポリリシンポリイオンコンプレックスなどのアルギン酸類；ポリエチレン、ポリプロピレンなどのポリオレフィン類；ポリ塩化ビニル；ポリ塩化ビニリデン；ポリフッ化ビニリデン、ポリテトラフルオライドなどのポリフルオライドや、これらの共重合体または複合体が挙げられる。
【００７７】
本発明において、生化学解析用ユニットの吸着性領域あるいは吸着性基板を形成するために使用される無機多孔質材料は、とくに限定されるものではないが、好ましくは、たとえば、白金、金、鉄、銀、ニッケル、アルミニウムなどの金属；アルミナ、シリカ、チタニア、ゼオライトなどの金属酸化物；ヒドロキシアパタイト、硫酸カルシウムなどの金属塩やこれらの複合体などが挙げられる。
【００７８】
本発明において、生化学解析用ユニットの吸着性領域あるいは吸着性基板を形成するために使用される繊維材料は、とくに限定されるものではないが、好ましくは、たとえば、ナイロン６、ナイロン６，６、ナイロン４，１０などのナイロン類、ニトロセルロース、酢酸セルロース、酪酸酢酸セルロースなどのセルロース誘導体などが挙げられる。
【００７９】
【発明の実施の形態】
以下、添付図面に基づいて、本発明の好ましい実施態様につき、詳細に説明を加える。
【００８０】
図１は、特異的結合物質を含む溶液、たとえば、塩基配列が既知の互いに異なった複数のｃＤＮＡを含む溶液が滴下される生化学解析用ユニットの略斜視図である。
【００８１】
図１に示される生化学解析用ユニット１は、ステンレス鋼によって形成され、多数の貫通孔３が形成された基板２を備え、基板２に形成された多数の貫通孔３内に、ナイロン６が充填されて、多数の吸着性領域４が形成されている。
【００８２】
図１には正確に示されていないが、本実施態様においては、約０．０７平方ミリメートルのサイズを有する略円形の吸着性領域４が、１２０列×１６０行のマトリックス状に、規則的に形成されるように、基板２に、貫通孔３が形成されており、したがって、合計１９２００の吸着性領域４が形成されている。
【００８３】
ここに、生化学解析用ユニット１の吸着性領域４は、その表面が、基板２の表面の下方に位置するように、多数の貫通孔３内に、ナイロン６が充填されて、形成されている。
【００８４】
図１に示されるように、生化学解析用ユニット１の基板２には、さらに、２つの円形の位置合わせ用貫通孔５、５が形成されている。
【００８５】
図２は、スポッティング装置の略平面図である。
【００８６】
図２に示されるように、スポッティング装置は、特異的結合物質を含む溶液を、生化学解析用ユニット１に向けて、噴射するインジェクタを備えたスポッティングヘッド９を備え、スポッティングヘッド９は、駆動機構により、図２において、矢印Ｘで示される主走査方向および矢印Ｙで示される副走査方向に移動可能に構成されている。
【００８７】
スポッティング装置の駆動機構は、特異的結合物質を含む溶液を滴下すべき生化学解析用ユニット１が載置される基板１０に固定されたフレーム１１に取り付けられている。
【００８８】
図２に示されるように、フレーム１１上には、副走査パルスモータ１２と一対のレール１３、１３とが固定され、フレーム１１上には、さらに、一対のレール１３、１３に沿って、図２において、矢印Ｙで示された副走査方向に、移動可能な基板１４が設けられている。
【００８９】
移動可能な基板１４には、ねじが切られた穴（図示せず）が形成されており、この穴内には、副走査パルスモータ１２によって回転されるねじが切られたロッド１５が係合している。
【００９０】
移動可能な基板１４上には、主走査パルスモータ１６が設けられ、主走査パルスモータ１６は、エンドレスベルト１７を、所定のピッチで、間欠的に駆動可能に構成されている。
【００９１】
スポッティング装置のスポッティングヘッド９は、エンドレスベルト１７に固定されており、主走査パルスモータ１６により、エンドレスベルト１７が駆動されると、図２において、矢印Ｘで示された主走査方向に移動されるように構成されている。
【００９２】
図２において、１８は、スポッティングヘッド９の主走査方向における位置を検出するリニアエンコーダであり、１９は、リニアエンコーダ１８のスリットである。
【００９３】
図２に示されるように、スポッティング装置の基板１０には、生化学解析用ユニット１の基板２に形成された２つの位置決め用の貫通孔５、５に対応する位置に、２つの位置決めピン２０ａ、２０ｂが立設されており、スポッティング装置の基板１０に形成された２つの位置決めピン２０ａ、２０ｂが、対応する位置決め用の貫通孔６ａ、６ｂ内に挿通されるように、生化学解析用ユニット１を、スポッティング装置の基板１０上に載置することによって、つねに、生化学解析用ユニット１が、スポッティング装置の基板１０上のほぼ同じ位置に載置されるように保証されている。
【００９４】
図３は、スポッティング装置の制御系、入力系、駆動系および検出系を示すブロックダイアグラムである。
【００９５】
図３に示されるように、スポッティング装置の制御系は、スポッティング装置全体の動作を制御するコントロールユニット２５を備え、スポッティング装置の入力系は、キーボード２６を備えている。
【００９６】
また、スポッティング装置の駆動系は、主走査パルスモータ１６および副走査パルスモータ１２を備え、スポッティング装置の検出系は、スポッティングヘッド９の主走査方向における位置を検出するリニアエンコーダ１８と、ロッド１５の回転量を検出するロータリーエンコーダ１７を備えている。
【００９７】
以上のように構成されたスポッティング装置によって、以下のようにして、生化学解析用ユニット１の吸着性領域４に、ｃＤＮＡなどの特異的結合物質を含む溶液が滴下される。
【００９８】
まず、生化学解析用ユニット１が、スポッティング装置の基板１０に形成された２つの位置決めピン２０ａ、２０ｂが、それぞれ、生化学解析用ユニット１の対応する２つの位置決め用の貫通孔５、５内に挿通されるように、スポッティング装置の基板１０上に載置される。
【００９９】
次いで、生化学解析用ユニット１の基板２に形成された吸着性領域４の位置に関する滴下データが、キーボード２６に入力される。
【０１００】
本実施態様においては、約０．０７平方ミリメートルのサイズを有する１９２００の略円形の吸着性領域４が、１２０列×１６０行のマトリックス状に、生化学解析用ユニット１の基板２に、規則的に形成されており、特異的結合物質を含む溶液は、生化学解析用ユニット１の各吸着性領域４に、滴下される。
【０１０１】
キーボード２６に入力された滴下データは、コントロールユニット２５に入力され、コントロールユニット２５は、滴下データを受けると、生化学解析用ユニット１の基板２に形成された各吸着性領域４の位置に、スポッティングヘッド９を移動させるために、主走査パルスモータ１６および副走査パルスモータ１２に与えるべき駆動パルスを算出し、駆動パルスデータを、メモリ（図示せず）に記憶する。
【０１０２】
本実施態様においては、生化学解析用ユニット１の基板２には、多数の吸着性領域４が、一定の間隔で、規則的なパターンにより、形成されているから、三番目以降に、特異的結合物質を含む溶液を滴下すべき吸着性領域４の位置に、スポッティングヘッド９を移動させるために、主走査パルスモータ１６および副走査パルスモータ１２に与えるべき駆動パルスは、最初に、特異的結合物質を含む溶液を滴下すべき吸着性領域４の位置から、二番目に、特異的結合物質を含む溶液を滴下すべき吸着性領域４の位置に、スポッティングヘッド９を移動させるために、主走査パルスモータ１６および副走査パルスモータ１２に与えるべき駆動パルスと同一であり、したがって、最初に、特異的結合物質を含む溶液を滴下すべき吸着性領域４の位置に、スポッティングヘッド９を移動させるために、主走査パルスモータ１６および副走査パルスモータ１２に与えるべき駆動パルスと、最初に、特異的結合物質を含む溶液を滴下すべき吸着性領域４の位置から、二番目に、特異的結合物質を含む溶液を滴下すべき吸着性領域４の位置に、スポッティングヘッド９を移動させるために、主走査パルスモータ１６および副走査パルスモータ１２に与えるべき駆動パルスを算出して、メモリに記憶させれば、十分である。
【０１０３】
特異的結合物質を含む溶液を滴下すべき吸着性領域４の位置に、スポッティングヘッド９を移動させるために、主走査パルスモータ１６および副走査パルスモータ１２に与えるべき駆動パルスが算出され、駆動パルスデータがメモリに記憶されると、コントロールユニット２５は、メモリに記憶された駆動パルスデータに基づき、主走査パルスモータ１６および副走査パルスモータ１２に所定の駆動パルスを与えて、スポッティングヘッド９を間欠的に移動させ、スポッティングヘッド９が、特異的結合物質を含む溶液を滴下すべき吸着性領域４の位置に達した時点で、主走査パルスモータ１６および副走査パルスモータ１２に駆動停止信号を出力して、スポッティングヘッド９を停止させ、スポッティングヘッド９に滴下信号を出力して、インジェクタから、特異的結合物質を含む溶液を噴射させる。
【０１０４】
二番目以降に、特異的結合物質を含む溶液を滴下すべき吸着性領域４の位置に、スポッティングヘッド９を移動させる場合には、スポッティングヘッド９は、矢印Ｘで示される主走査方向および矢印Ｙで示される副走査方向に、それぞれ、一定のピッチで、移動される。
【０１０５】
同様にして、主走査パルスモータ１６および副走査パルスモータ１２により、スポッティングヘッド９が間欠的に移動され、入力された滴下データにしたがって、生化学解析用ユニット１の基板２に形成された多数の吸着性領域４に、順次、特異的結合物質を含む溶液が滴下される。
【０１０６】
こうして、生化学解析用ユニット１の多数の吸着性領域４に、特異的結合物質を含む溶液が滴下される。
【０１０７】
図４は、ハイブリダイゼーション反応容器の略縦断面図である。
【０１０８】
図４に示されるように、ハイブリダイゼーション反応容器２０は矩形状断面を有し、内部に、標識物質によって標識されたプローブである生体由来の物質を含むハイブリダイゼーション反応溶液２１が収容されている。
【０１０９】
放射性標識物質によって、ｃＤＮＡなどの特異的結合物質を選択的に標識する場合には、放射性標識物質によって標識されたプローブである生体由来の物質を含むハイブリダイゼーション反応溶液２１が調製され、ハイブリダイゼーション反応容器２０内に収容される。
【０１１０】
一方、化学発光基質と接触させることによって化学発光を生じさせる標識物質によって、ｃＤＮＡなどの特異的結合物質を選択的に標識する場合には、化学発光基質と接触させることによって化学発光を生じさせる標識物質によって標識されたプローブである生体由来の物質を含むハイブリダイゼーション反応溶液２１が調製され、ハイブリダイゼーション反応容器２０内に収容される。
【０１１１】
さらに、蛍光色素などの蛍光物質によって、ｃＤＮＡなどの特異的結合物質を選択的に標識する場合には、蛍光色素などの蛍光物質によって標識されたプローブである生体由来の物質を含むハイブリダイゼーション反応溶液２１が調製されて、ハイブリダイゼーション反応容器２０内に収容される。
【０１１２】
放射性標識物質によって標識された生体由来の物質、化学発光基質と接触させることによって化学発光を生じさせる標識物質によって標識された生体由来の物質および蛍光色素などの蛍光物質によって標識された生体由来の物質のうち、２以上の生体由来の物質を含むハイブリダイゼーション反応溶液２１を調製して、ハイブリダイゼーション反応容器２０内に収容させることもでき、本実施態様においては、放射性標識物質によって標識された生体由来の物質および蛍光色素などの蛍光物質によって標識された生体由来の物質を含むハイブリダイゼーション反応溶液２１が調製され、ハイブリダイゼーション反応容器２０内に収容されている。
【０１１３】
ハイブリダイゼーションにあたって、ｃＤＮＡなどの特異的結合物質が、多数の吸着性領域４に吸着されている生化学解析用ユニット１が、ハイブリダイゼーション反応容器２０内に収容される。
【０１１４】
その結果、生化学解析用ユニット１の多数の吸着性領域４に固定されている特異的結合物質に、放射性標識物質により標識され、ハイブリダイゼーション反応溶液２１に含まれた生体由来の物質および蛍光色素などの蛍光物質によって標識され、ハイブリダイゼーション反応溶液２１に含まれた生体由来の物質が、選択的に、ハイブリダイズされる。
【０１１５】
こうして、生化学解析用ユニット１の多数の吸着性領域４に、放射性標識物質の放射線データおよび蛍光色素などの蛍光物質の蛍光データが記録される。
【０１１６】
生化学解析用ユニット１の多数の吸着性領域４に記録された蛍光データは、後述するスキャナによって読み取られ、生化学解析用データが生成される。
【０１１７】
一方、生化学解析用ユニット１の多数の吸着性領域４に記録された放射性標識物質の放射線データは、蓄積性蛍光体シートに転写され、蓄積性蛍光体シートに転写された放射線データは、後述するスキャナによって読み取られて、生化学解析用データが生成される。
【０１１８】
図５は、放射線データを転写すべき蓄積性蛍光体シートの略斜視図である。
【０１１９】
図５に示されるように、本実施態様にかかる蓄積性蛍光体シート２５は、ステンレス鋼によって形成され、多数の略円形の貫通孔２８が規則的に形成された支持体２６を備え、支持体２６の形成された多数の貫通孔２８内に、放射線エネルギーを吸収し、蓄積可能なＢａＦＸ系輝尽性蛍光体（ここに、Ｘは、Ｃｌ、ＢｒおよびＩからなる群から選ばれたハロゲン原子である。）が充填されて、多数の輝尽性蛍光体層領域２７が、ドット状に形成されている。
【０１２０】
多数の貫通孔２８は、生化学解析用ユニット１の基板２に形成された多数の吸着性領域４と同一のパターンで、支持体２６に形成され、それぞれ、生化学解析用ユニット１の基板２に形成された多数の吸着性領域４と同じサイズを有している。
【０１２１】
したがって、図５には、正確に示されていないが、本実施態様においては、約０．０７平方ミリメートルのサイズを有する略円形の輝尽性蛍光体層領域２７が、１２０列×１６０行のマトリックス状に、規則的に形成されるように、支持体２６に、貫通孔２８形成されており、したがって、合計１９２００の輝尽性蛍光体層領域２７が形成されている。
【０１２２】
また、本実施態様においては、支持体２６の表面と、多数の輝尽性蛍光体層領域２７の表面とが同一の高さに位置するように、支持体２６に形成された多数の貫通孔２８に、輝尽性蛍光体が充填されて、蓄積性蛍光体シート２５が形成されている。
【０１２３】
図５に示されるように、蓄積性蛍光体シート２５の支持体２６には、生化学解析用ユニット１の基板２に形成された２つの位置合わせ用貫通孔５、５に対応する位置に、２つの円形の位置合わせ用貫通孔２９、２９が形成されている。
【０１２４】
図６は、生化学解析用ユニット１に形成された多数の吸着性領域４に含まれた放射性標識物質によって、蓄積性蛍光体シート２５に形成された多数の輝尽性蛍光体層領域２７を露光する方法を示す略断面図である。
【０１２５】
図６に示されるように、露光にあたっては、蓄積性蛍光体シート２５の支持体２６に形成された各輝尽性蛍光体層領域２７が、生化学解析用ユニット１に形成された対応する吸着性領域４に対向するように、蓄積性蛍光体シート２５と生化学解析用ユニット１とが重ね合わされる。
【０１２６】
この際、生化学解析用ユニットの基板２に形成された２つの位置合わせ用貫通孔５、５と、蓄積性蛍光体シート２５の支持体２６に形成された２つの位置合わせ用貫通孔２９、２９に、それぞれ、ピンなどを挿通させることによって、蓄積性蛍光体シート２５の支持体２６に形成された各輝尽性蛍光体層領域２７が、生化学解析用ユニット１に形成された対応する吸着性領域４に正確に対向するように、蓄積性蛍光体シート２５と生化学解析用ユニット１とを位置決めすることができる。
【０１２７】
本実施態様においては、生化学解析用ユニット１は、ステンレス鋼製の基板２に形成された多数の貫通孔３内に、ナイロン６が充填されて、形成されているので、ハイブリダイゼーションなど、液体による処理を受けても、伸縮することがなく、したがって、生化学解析用ユニット１に形成された多数の吸着性領域４が、蓄積性蛍光体シート２５に形成された多数の輝尽性蛍光体層領域２７に、正確に対向するように、蓄積性蛍光体シート２５と生化学解析用ユニット１とを、容易にかつ確実に重ね合わせて、多数の輝尽性蛍光体層領域２７を露光することが可能になる。
【０１２８】
こうして、所定の時間にわたって、蓄積性蛍光体シート２５の支持体２６に形成された多数の輝尽性蛍光体層領域２７の各々と、生化学解析用ユニット１の基板２に形成された多数の吸着性領域４とを対向させることによって、生化学解析用ユニット１の基板２に形成された吸着性領域４に含まれている放射性標識物質によって、蓄積性蛍光体シート２５の支持体２６に形成された多数の輝尽性蛍光体層領域２７が露光される。
【０１２９】
この際、生化学解析用ユニット１の吸着性領域４に含まれている放射性標識物質から、電子線（β線）が発せられるが、生化学解析用ユニット１の多数の吸着性領域４は、ステンレス鋼によって形成された基板２に、互いに離間して形成され、各吸着性領域４の周囲には、放射線エネルギーを減衰させる性質を有するステンレス鋼製の基板２が存在しているから、生化学解析用ユニット１の吸着性領域４に含まれている放射性標識物質から発せられた電子線（β線）が、生化学解析用ユニット１の基板２内で、散乱することを効果的に防止することができ、さらに、蓄積性蛍光体シート２５の多数の輝尽性蛍光体層領域２７が、放射線エネルギーを減衰させる性質を有するステンレス鋼製の支持体２６に形成された複数の貫通孔２８内に、輝尽性蛍光体を充填して、形成され、各輝尽性蛍光体層領域２７の周囲には、放射線エネルギーを減衰させる性質を有するステンレス鋼製の支持体２６が存在しているから、生化学解析用ユニット１の吸着性領域４に含まれている放射性標識物質から発せられた電子線（β線）が、蓄積性蛍光体シート２５の支持体２６内で、散乱することを効果的に防止することができ、したがって、したがって、吸着性領域４に含まれている放射性標識物質から発せられた電子線（β線）はすべて、その吸着性領域４に対向する輝尽性蛍光体層領域２７に入射し、隣り合う吸着性領域４から放出される電子線（β線）によって露光されるべき輝尽性蛍光体層領域２７に入射して、露光することを効果的に防止することができる。
【０１３０】
したがって、蓄積性蛍光体シート２５の支持体２６に形成された多数の輝尽性蛍光体層領域２７を、生化学解析用ユニット１の対応する吸着性領域４に含まれている放射性標識物質から放出された電子線（β線）によって、選択的に、露光することが可能になる。
【０１３１】
こうして、蓄積性蛍光体シート２５の支持体２６に形成された多数の輝尽性蛍光体層領域２７に、放射線データが記録される。
【０１３２】
図７は、蓄積性蛍光体シート２５の支持体２６に形成された多数の輝尽性蛍光体層領域２７に記録されている放射線データおよび生化学解析用ユニット１の基板２に形成された多数の吸着性領域４に記録されている蛍光データを読み取って、生化学解析用データを生成するスキャナの略斜視図であり、図８は、図７に示されたスキャナのフォトマルチプライア近傍の詳細を示す略斜視図である。
【０１３３】
図７に示されるように、スキャナは、６４０ｎｍの波長のレーザ光２４を発する第１のレーザ励起光源３１と、５３２ｎｍの波長のレーザ光２４を発する第２のレーザ励起光源３２と、４７３ｎｍの波長のレーザ光２４を発する第３のレーザ励起光源３３とを備えている。
【０１３４】
本実施態様においては、第１のレーザ励起光源３１は、半導体レーザ光源により構成され、第２のレーザ励起光源３２および第３のレーザ励起光源３３は、第二高調波生成（Ｓｅｃｏｎｄ　Ｈａｒｍｏｎｉｃ　Ｇｅｎｅｒａｔｉｏｎ）素子によって構成されている。
【０１３５】
第１のレーザ励起光源３１により発生されたレーザ光３４は、コリメータレンズ３５によって、平行な光とされた後、ミラー４６によって反射される。第１のレーザ励起光源３１から発せられ、ミラー４６によって反射されたレーザ光３４の光路には、６４０ｎｍのレーザ光４を透過し、５３２ｎｍの波長の光を反射する第１のダイクロイックミラー３７および５３２ｎｍ以上の波長の光を透過し、４７３ｎｍの波長の光を反射する第２のダイクロイックミラー４８が設けられており、第１のレーザ励起光源３１により発生されたレーザ光３４は、第１のダイクロイックミラー３７および第２のダイクロイックミラー４８を透過して、ミラー３９に入射する。
【０１３６】
他方、第２のレーザ励起光源３２より発生されたレーザ光３４は、コリメータレンズ４０により、平行光とされた後、第１のダイクロイックミラー３７によって反射されて、その向きが９０度変えられて、第２のダイクロイックミラー４８を透過し、ミラー３９に入射する。
【０１３７】
また、第３のレーザ励起光源３３から発生されたレーザ光３４は、コリメータレンズ４１によって、平行光とされた後、第２のダイクロイックミラー４８により反射されて、その向きが９０度変えられた後、ミラー３９に入射する。
【０１３８】
ミラー３９に入射したレーザ光３４は、ミラー３９によって反射され、さらに、ミラー４２に入射して、反射される。
【０１３９】
ミラー４２によって反射されたレーザ光３４の光路には、中央部に穴４３が形成された凹面ミラーによって形成された穴開きミラー４４が配置されており、ミラー４２によって反射されたレーザ光３４は、穴開きミラー４４の穴４３を通過して、凹面ミラー４８に入射する。
【０１４０】
凹面ミラー４８に入射したレーザ光３４は、凹面ミラー４８によって反射されて、光学ヘッド４５に入射する。
【０１４１】
光学ヘッド４５は、ミラー４６と、非球面レンズ４７を備えており、光学ヘッド４５に入射したレーザ光３４は、ミラー４６によって反射されて、非球面レンズ４７によって、ステージ５０のガラス板５１上に載置された蓄積性蛍光体シート２５あるいは生化学解析用ユニット１に入射する。
【０１４２】
蓄積性蛍光体シート２５の支持体２６に形成された輝尽性蛍光体層領域２７の１つに、レーザ光３４が入射すると、輝尽性蛍光体層領域２７に含まれている輝尽性蛍光体が励起されて、輝尽光５５が発せられ、また、生化学解析用ユニット１の基板２に形成された吸着性領域４の１つに、レーザ光３４が入射すると、吸着性領域４に含まれている蛍光色素などの蛍光物質が励起されて、蛍光５５が発せられる。
【０１４３】
蓄積性蛍光体シート２５の輝尽性蛍光体層領域２７から放出された輝尽光５５あるいは生化学解析用ユニット１の吸着性領域４から放出された蛍光５５は、光学ヘッド４５に設けられた非球面レンズ４７によって、ミラー４６に集光され、ミラー４６によって、レーザ光３４の光路と同じ側に反射され、平行な光とされて、凹面ミラー４８に入射する。
【０１４４】
凹面ミラー４８に入射した輝尽光５５あるいは蛍光５５は、凹面ミラー４８によって反射されて、穴開きミラー４４に入射する。
【０１４５】
穴開きミラー４４に入射した輝尽光５５あるいは蛍光５５は、図８に示されるように、凹面ミラーによって形成された穴開きミラー４４によって、下方に反射されて、フィルタユニット５８に入射し、所定の波長の光がカットされて、フォトマルチプライア６０に入射し、光電的に検出される。
【０１４６】
図８に示されるように、フィルタユニット５８は、４つのフィルタ部材６１ａ、６１ｂ、６１ｃ、６１ｄを備えており、フィルタユニット５８は、モータ（図示せず）によって、図８において、左右方向に移動可能に構成されている。
【０１４７】
図９は、図８のＡ−Ａ線に沿った略断面図である。
【０１４８】
図９に示されるように、フィルタ部材６１ａはフィルタ６２ａを備え、フィルタ６２ａは、第１のレーザ励起光源３１を用いて、生化学解析用ユニット１の基板２に形成された多数の吸着性領域４に含まれている蛍光物質を励起し、蛍光５５を読み取るときに使用されるフィルタ部材であり、６４０ｎｍの波長の光をカットし、６４０ｎｍよりも波長の長い光を透過する性質を有している。
【０１４９】
図１０は、図８のＢ−Ｂ線に沿った断面図である。
【０１５０】
図１０に示されるように、フィルタ部材６１ｂはフィルタ６２ｂを備え、フィルタ６２ｂは、第２のレーザ励起光源３２を用いて、生化学解析用ユニット１の基板２に形成された多数の吸着性領域４に含まれている蛍光物質を励起し、蛍光５５を読み取るときに使用されるフィルタ部材であり、５３２ｎｍの波長の光をカットし、５３２ｎｍよりも波長の長い光を透過する性質を有している。
【０１５１】
図１１は、図８のＣ−Ｃ線に沿った断面図である。
【０１５２】
図１１に示されるように、フィルタ部材６１ｃはフィルタ６２ｃを備え、フィルタ６２ｃは、第３のレーザ励起光源３３を用いて、生化学解析用ユニット１の基板２に形成された多数の吸着性領域４に含まれている蛍光物質を励起して、蛍光５５を読み取るときに使用されるフィルタ部材であり、４７３ｎｍの波長の光をカットし、４７３ｎｍよりも波長の長い光を透過する性質を有している。
【０１５３】
図１２は、図８のＤ−Ｄ線に沿った断面図である。
【０１５４】
図１２に示されるように、フィルタ部材６１ｄはフィルタ６２ｄを備え、フィルタ６２ｄは、第１のレーザ励起光源３１を用いて、蓄積性蛍光体シート２５の支持体２６に形成された多数の輝尽性蛍光体層領域２７に含まれている輝尽性蛍光体を励起して、輝尽性蛍光体層領域２７から発せられた輝尽光５５を読み取るときに使用されるフィルタであり、輝尽性蛍光体層領域２７から放出される輝尽光５５の波長域の光のみを透過し、６４０ｎｍの波長の光をカットする性質を有している。
【０１５５】
したがって、使用すべきレーザ励起光源に応じて、フィルタ部材６１ａ、６１ｂ、６１ｃ、６１ｄを選択的にフォトマルチプライア６０の前面に位置させることによって、フォトマルチプライア６０は、検出すべき光のみを光電的に検出することができる。
【０１５６】
フォトマルチプライア６０によって光電的に検出されて、生成されたアナログデータは、積分アンプ６５によって、積分され、積分アンプ６５によって生成されたアナログデータの積分値が、Ａ／Ｄ変換器６３によって、ディジタルデータに変換され、データ処理装置６４に送られる。
【０１５７】
図７には図示されていないが、光学ヘッド４５は、走査機構によって、図７において、矢印Ｘで示される主走査方向および矢印Ｙで示される副走査方向に移動可能に構成され、生化学解析用ユニット１の全面が、レーザ光３４によって走査されるように構成されている。
【０１５８】
図１３は、光学ヘッドの走査機構の略平面図である。
【０１５９】
図１３においては、簡易化のため、光学ヘッド４５を除く光学系ならびにレーザ光３４および蛍光５５あるいは輝尽光５５の光路は省略されている。
【０１６０】
図１３に示されるように、光学ヘッド４５を走査する走査機構は、基板７０を備え、基板７０上には、副走査パルスモータ７１と一対のレール７２、６２とが固定され、基板７０上には、さらに、図１３において、矢印Ｙで示された副走査方向に、移動可能な基板７３とが設けられている。
【０１６１】
移動可能な基板７３には、ねじが切られた穴（図示せず）が形成されており、この穴内には、副走査パルスモータ７１によって回転されるねじが切られたロッド７４が係合している。
【０１６２】
移動可能な基板７３上には、主走査ステッピングモータ７５が設けられ、主走査ステッピングモータ７５は、エンドレスベルト７６を、生化学解析用ユニット１の基板２に形成された隣り合う吸着性領域４の間の距離、すなわち、蓄積性蛍光体シート２５の支持体２６に形成された隣り合う輝尽性蛍光体層領域２７の間の距離に等しいピッチで、間欠的に駆動可能に構成されている。
【０１６３】
光学ヘッド４５は、エンドレスベルト７６に固定されており、主走査ステッピングモータ７５によって、エンドレスベルト７６が駆動されると、図１３において、矢印Ｘで示された主走査方向に移動されるように構成されている。
【０１６４】
図１３において、６７は、光学ヘッド４５の主走査方向における位置を検出するリニアエンコーダであり、７８は、リニアエンコーダ７７のスリットである。
【０１６５】
したがって、主走査ステッピングモータ７５によって、エンドレスベルト７６が、主走査方向に間欠的に駆動され、副走査パルスモータ７１により、基板７３が、副走査方向に間欠的に移動されることによって、光学ヘッド４５は、図１３において、矢印Ｘで示される主走査方向および矢印Ｙで示される副走査方向に移動され、レーザ光３４によって、蓄積性蛍光体シート２５の支持体２６に形成されたすべての輝尽性蛍光体層領域２７あるいは生化学解析用ユニット１の基板２に形成されたすべての吸着性領域４が走査される。
【０１６６】
図１４は、図７に示されたスキャナの制御系、入力系、駆動系および検出系を示すブロックダイアグラムである。
【０１６７】
図１４に示されるように、スキャナの制御系は、スキャナ全体の動作を制御するコントロールユニット８０を備えており、スキャナの入力系は、ユーザーによって操作され、種々の指示信号を入力可能なキーボード８１を備えている。
【０１６８】
図１４に示されるように、スキャナの駆動系は、光学ヘッド４５を主走査方向に間欠的に移動させる主走査ステッピングモータ７５と、光学ヘッド４５を副走査方向に間欠的に移動させる副走査パルスモータ７１と、４つのフィルタ部材６１ａ、６１ｂ、６１ｃ、６１ｄを備えたフィルタユニット５８を移動させるフィルタユニットモータ８２を備えている。
【０１６９】
コントロールユニット８０は、第１のレーザ励起光源３１、第２のレーザ励起光源３２または第３のレーザ励起光源３３に選択的に駆動信号を出力するとともに、フィルタユニットモータ８２に駆動信号を出力可能に構成されている。
【０１７０】
また、図１４に示されるように、スキャナの検出系は、フォトマルチプライア６０と、光学ヘッド４５の主走査方向における位置を検出するリニアエンコーダ７７を備えている。
【０１７１】
本実施態様においては、コントロールユニット８０は、リニアエンコーダ７７から入力される光学ヘッド４５の位置検出信号にしたがって、第１のレーザ励起光源３１、第２のレーザ励起光源３２または第３のレーザ励起光源３３をオン・オフ制御可能に構成されている。
【０１７２】
以上のように構成されたスキャナは、以下のようにして、蓄積性蛍光体シート２５の支持体２６に形成された多数の輝尽性蛍光体層領域２７に記録されている放射線データを読み取って、生化学解析用データを生成する。
【０１７３】
まず、ユーザーによって、蓄積性蛍光体シート２５が、ステージ５０のガラス板５１上に載置される。
【０１７４】
次いで、ユーザーによって、キーボード８１に、蓄積性蛍光体シート２５の支持体２６に形成された多数の輝尽性蛍光体層領域２７に記録されている放射線データを読み取るべき旨の指示信号が入力される。
【０１７５】
キーボード８１に入力された指示信号は、コントロールユニット８０に入力され、コントロールユニット８０は、指示信号にしたがって、フィルタユニットモータ８２に駆動信号を出力し、フィルタユニット５８を移動させ、輝尽性蛍光体から放出される輝尽光５５の波長域の光のみを透過し、６４０ｎｍの波長の光をカットする性質を有するフィルタ６２ｄを備えたフィルタ部材６１ｄを、輝尽光５５の光路内に位置させる。
【０１７６】
さらに、コントロールユニット８０は、主走査ステッピングモータ７５に駆動信号を出力し、光学ヘッド４５を主走査方向に移動させ、リニアエンコーダから入力される光学ヘッド４５の位置検出信号に基づいて、蓄積性蛍光体シート２５の支持体２６に形成された多数の輝尽性蛍光体層領域２７のうち、第１の輝尽性蛍光体層領域２７に、レーザ光３４を照射可能な位置に、光学ヘッド４５が達したことが確認されると、主走査ステッピングモータ７５に停止信号を出力するとともに、第１のレーザ励起光源３１に駆動信号を出力して、第１のレーザ励起光源３１を起動させ、６４０ｎｍの波長のレーザ光３４を発せさせる。
【０１７７】
第１のレーザ励起光源３１から発せられたレーザ光３４は、コリメータレンズ３５によって、平行な光とされた後、ミラー４６に入射して、反射される。
【０１７８】
ミラー４６によって反射されたレーザ光３４は、第１のダイクロイックミラー３７および第２のダイクロイックミラー４８を透過し、ミラー３９に入射する。
【０１７９】
ミラー３９に入射したレーザ光３４は、ミラー３９によって反射されて、さらに、ミラー４２に入射して、反射される。
【０１８０】
ミラー４２によって反射されたレーザ光３４は、穴開きミラー４４の穴４３を通過して、凹面ミラー４８に入射する。
【０１８１】
凹面ミラー４８に入射したレーザ光３４は、凹面ミラー４８によって反射されて、光学ヘッド４５に入射する。
【０１８２】
光学ヘッド４５に入射したレーザ光３４は、ミラー４６によって反射され、非球面レンズ４７によって、ステージ５０のガラス板５１上に載置された蓄積性蛍光体シート２５の第１の輝尽性蛍光体層領域２７に集光される。
【０１８３】
本実施態様においては、輝尽性蛍光体層領域２７は、それぞれ、光エネルギーを減衰させる性質を有するステンレス製の支持体２６に形成された多数の貫通孔２８内に、輝尽性蛍光体が充填されて、形成されているから、各輝尽性蛍光体層領域２７内で、レーザ光３４が散乱して、隣り合った輝尽性蛍光体層領域２７内に入射し、隣り合った輝尽性蛍光体層領域２７に含まれている輝尽性蛍光体を励起することを、効果的に防止することが可能になる。
【０１８４】
レーザ光３４が、蓄積性蛍光体シート２５の支持体２６に形成された第１の輝尽性蛍光体層領域２７に入射すると、第１の輝尽性蛍光体層領域２７に含まれている輝尽性蛍光体が、レーザ光３４によって励起されて、第１の輝尽性蛍光体層領域２７から輝尽光５５が放出される。
【０１８５】
第１の輝尽性蛍光体領域２７から放出された輝尽光５５は、光学ヘッド４５に設けられた非球面レンズ４７によって集光され、ミラー４６により、レーザ光３４の光路と同じ側に反射され、平行な光とされて、凹面ミラー４８に入射する。
【０１８６】
凹面ミラー４８に入射した輝尽光５５は、凹面ミラー４８によって反射されて、穴開きミラー４４に入射する。
【０１８７】
穴開きミラー４４に入射した輝尽光５５は、凹面ミラーによって形成された穴開きミラー４４によって、図８に示されるように、下方に反射され、フィルタユニット５８のフィルタ６２ｄに入射する。
【０１８８】
フィルタ６２ｄは、輝尽性蛍光体から放出される輝尽光５５の波長域の光のみを透過し、６４０ｎｍの波長の光をカットする性質を有しているので、励起光である６４０ｎｍの波長の光がカットされ、輝尽性蛍光体層領域２７から放出された輝尽光５５の波長域の光のみがフィルタ６２ｄを透過して、フォトマルチプライア６０によって、光電的に検出される。
【０１８９】
フォトマルチプライア６０によって、輝尽光５５が光電的に検出されて、生成されたアナログデータは、積分アンプ６５によって、積分される。
【０１９０】
第１のレーザ励起光源３１がオンされた後、所定の時間、たとえば、数μ秒が経過すると、コントロールユニット８０は、積分アンプ６５によって生成されたアナログデータの積分値を、Ａ／Ｄ変換器６３に出力して、ディジタルデータに変換し、データ処理装置６４に出力させる。
【０１９１】
同時に、コントロールユニット８０は、第１のレーザ励起光源３１に駆動停止信号を出力して、第１のレーザ励起光源３１の駆動を停止させるとともに、主走査ステッピングモータ７５に、駆動信号を出力して、光学ヘッド４５を、蓄積性蛍光体シート２５の支持体２６に形成された隣り合う輝尽性蛍光体層領域２７の間の距離に等しい１ピッチだけ、移動させる。
【０１９２】
リニアエンコーダ７７から入力された光学ヘッド４５の位置検出信号に基づいて、光学ヘッド４５が、蓄積性蛍光体シート２５の支持体２６に形成された隣り合う輝尽性蛍光体層領域２７の間の距離に等しい１ピッチだけ移動されて、第１のレーザ励起光源３１から発せられるレーザ光３４を、蓄積性蛍光体シート２５の支持体２６に形成された第２の輝尽性蛍光体層領域２７に照射可能な位置に移動したことが確認されると、コントロールユニット８０は、第１のレーザ励起光源３１に駆動信号を出力して、第１のレーザ励起光源３１をオンさせて、レーザ光３４によって、蓄積性蛍光体シート２５の支持体２６に形成された第２の輝尽性蛍光体層領域２７に含まれている輝尽性蛍光体を励起する。
【０１９３】
同様にして、所定の時間にわたり、レーザ光３４が、蓄積性蛍光体シート２５の支持体２６に形成された第２の輝尽性蛍光体層領域２７に照射され、第２の輝尽性蛍光体層領域２７に含まれている輝尽性蛍光体が励起され、第２の輝尽性蛍光体層領域２７から放出された輝尽光５５が、フォトマルチプライア６０によって、光電的に検出されて、アナログデータが生成され、生成されたアナログデータが、積分アンプ６５によって、積分されると、コントロールユニット８０は、積分アンプ６５によって生成されたアナログデータの積分値を、Ａ／Ｄ変換器６３に出力して、ディジタル化し、データ処理装置６４に出力する。
【０１９４】
同時に、コントロールユニット８０は、第１のレーザ励起光源３１に駆動停止信号を出力して、第１のレーザ励起光源３１をオフさせるとともに、主走査ステッピングモータ７５に、駆動信号を出力して、光学ヘッド４５を、隣り合う輝尽性蛍光体層領域２７の間の距離に等しい１ピッチだけ、移動させる。
【０１９５】
こうして、光学ヘッド４５の間欠的な移動に同期して、第１のレーザ励起光源３１のオン・オフが繰り返され、リニアエンコーダ７７から入力された光学ヘッド４５の位置検出信号に基づき、光学ヘッド４５が、主走査方向に１ライン分だけ、移動され、蓄積性蛍光体シート２５の支持体２６に形成された第１ライン目の輝尽性蛍光体層領域２７のレーザ光３４による走査が完了したことが確認されると、コントロールユニット８０は、主走査ステッピングモータ７５に駆動信号を出力して、光学ヘッド４５を元の位置に復帰させるとともに、副走査パルスモータ７１に駆動信号を出力して、移動可能な基板７３を、副走査方向に、１ライン分だけ、移動させる。
【０１９６】
リニアエンコーダ７７から入力された光学ヘッド４５の位置検出信号に基づいて、光学ヘッド４５が元の位置に復帰され、また、移動可能な基板７３が、副走査方向に、１ライン分だけ、移動されたことが確認されると、コントロールユニット８０は、蓄積性蛍光体シート２５の支持体２６に形成された第１ライン目の輝尽性蛍光体層領域２７に、順次、第１のレーザ励起光源３１から発せられたレーザ光３４を照射したのと全く同様にして、蓄積性蛍光体シート２５の支持体２６に形成された第２ライン目の輝尽性蛍光体層領域２７に、順次、第１のレーザ励起光源３１から発せられるレーザ光３４を照射して、第２ライン目の輝尽性蛍光体層領域２７に含まれている輝尽性蛍光体を励起し、第２ライン目の輝尽性蛍光体層領域２７から発せられた輝尽光５５を、順次、フォトマルチプライア６０に光電的に検出させる。
【０１９７】
フォトマルチプライア６０によって光電的に検出されて、生成されたアナログデータは、積分アンプ６５によって、積分され、第１のレーザ励起光源３１がオンされてから、所定の時間が経過すると、積分アンプ６５によって生成されたアナログデータの積分値が、Ａ／Ｄ変換器６３に出力され、ディジタルデータに変換されて、データ処理装置６４に送られる。
【０１９８】
こうして、蓄積性蛍光体シート２５の支持体２６に形成された輝尽性蛍光体層領域２７がすべて、第１のレーザ励起光源３１から放出されたレーザ光３４によって走査され、輝尽性蛍光体層領域２７に含まれている輝尽性蛍光体が励起されて、放出された輝尽光５５が、フォトマルチプライア６０によって光電的に検出され、生成されたアナログデータが、積分アンプ６５によって、積分され、積分アンプ６５によって生成されたアナログデータの積分値が、Ａ／Ｄ変換器６３により、ディジタルデータに変換されて、データ処理装置６４に送られると、コントロールユニット８０から、駆動停止信号が、第１のレーザ励起光源３１に出力され、第１のレーザ励起光源３１の駆動が停止される。
【０１９９】
以上のようにして、蓄積性蛍光体シート２５の多数の輝尽性蛍光体層領域２７に記録された放射線データが読み取られて、生化学解析用データが生成される。
【０２００】
一方、生化学解析用ユニット１の基板２に形成された多数の吸着性領域４に記録された蛍光物質の蛍光データを読み取って、生化学解析用ディジタルデータを生成するときは、まず、ユーザーによって、生化学解析用ユニット１が、ステージ５０のガラス板５１上にセットされる。
【０２０１】
次いで、ユーザーによって、標識物質である蛍光物質の種類を特定する標識物質特定信号が、生化学解析用ユニット１の基板２に形成された多数の吸着性領域４に記録されている蛍光データを読み取るべき旨の指示信号とともに、キーボード８１に入力される。
【０２０２】
キーボード８１に入力された標識物質特定信号および指示信号は、コントロールユニット８０に入力され、コントロールユニット８０は、標識物質特定信号および指示信号を受けると、メモリ（図示せず）に記憶されているテーブルにしたがって、使用すべきレーザ励起光源を決定するとともに、フィルタ６２ａ、６２ｂ、６２ｃのいずれを蛍光５５の光路内に位置させるかを決定する。
【０２０３】
たとえば、生体由来の物質を標識する蛍光物質として、５３２ｎｍの波長のレーザによって、最も効率的に励起することのできるローダミン（登録商標）が使用され、その旨が、キーボード８１に入力されたときは、コントロールユニット８０は、第２のレーザ励起光源３２を選択するとともに、フィルタ６２ｂを選択し、フィルタユニットモータ８２に駆動信号を出力して、フィルタユニット５８を移動させ、５３２ｎｍの波長の光をカットし、５３２ｎｍよりも波長の長い光を透過する性質を有するフィルタ６２ｂを備えたフィルタ部材６１ｂを、生化学解析用ユニット１から放出されるべき蛍光５５の光路内に位置させる。
【０２０４】
さらに、コントロールユニット８０は、主走査ステッピングモータ７５に駆動信号を出力し、光学ヘッド４５を主走査方向に移動させ、リニアエンコーダから入力される光学ヘッド４５の位置検出信号に基づいて、生化学解析用ユニット１の基板２に形成された多数の吸着性領域４のうち、第１の吸着性領域４に、レーザ光３４を照射可能な位置に、光学ヘッド４５が達したことが確認されると、主走査ステッピングモータ７５に停止信号を出力するとともに、第２のレーザ励起光源３２に駆動信号を出力して、第２のレーザ励起光源３２を起動させ、５３２ｎｍの波長のレーザ光３４を発せさせる。
【０２０５】
第２のレーザ励起光源３２から発せられたレーザ光３４は、コリメータレンズ４０によって、平行な光とされた後、第１のダイクロイックミラー３７に入射して、反射される。
【０２０６】
第１のダイクロイックミラー３７によって反射されたレーザ光３４は、第２のダイクロイックミラー４８を透過し、ミラー３９に入射する。
【０２０７】
ミラー３９に入射したレーザ光３４は、ミラー３９によって反射されて、さらに、ミラー４２に入射して、反射される。
【０２０８】
ミラー４２によって反射されたレーザ光３４は、穴開きミラー４４の穴４３を通過して、凹面ミラー４８に入射する。
【０２０９】
凹面ミラー４８に入射したレーザ光３４は、凹面ミラー４８によって反射されて、光学ヘッド４５に入射する。
【０２１０】
光学ヘッド４５に入射したレーザ光３４は、ミラー４６によって反射され、非球面レンズ４７によって、ステージ５０のガラス板５１上に載置された生化学解析用ユニット１に集光される。
【０２１１】
本実施態様においては、生化学解析用ユニット１の吸着性領域４は、ステンレス鋼によって形成された基板２に形成された多数の貫通孔３内に、ナイロン６が充填されて、形成されているから、各吸着性領域４内で、レーザ光３４が散乱して、隣り合った吸着性領域４内に入射し、隣り合った吸着性領域４に含まれている蛍光物質を励起することを、効果的に防止することが可能になる。
【０２１２】
生化学解析用ユニット１の基板２に形成された第１の吸着性領域４に、レーザ光３４が入射すると、第１の吸着性領域４に含まれた蛍光色素などの蛍光物質、たとえば、ローダミンが励起されて、蛍光５５が発せられる。
【０２１３】
第１の吸着性領域４から放出された蛍光５５は、光学ヘッド４５に設けられた非球面レンズ４７によって集光され、ミラー４６によって、レーザ光３４の光路と同じ側に反射され、平行な光とされて、凹面ミラー４８に入射する。
【０２１４】
凹面ミラー４８に入射した蛍光５５は、凹面ミラー４８によって反射されて、穴開きミラー４４に入射する。
【０２１５】
穴開きミラー４４に入射した蛍光５５は、凹面ミラーによって形成された穴開きミラー４４によって、図８に示されるように、下方に反射され、フィルタユニット５８のフィルタ６２ｂに入射する。
【０２１６】
フィルタ６２ｂは、５３２ｎｍの波長の光をカットし、５３２ｎｍよりも波長の長い光を透過する性質を有しているので、励起光である５３２ｎｍの波長の光がカットされ、ローダミンから放出された蛍光５５の波長域の光のみがフィルタ６２ｂを透過して、フォトマルチプライア６０によって、光電的に検出される。
【０２１７】
フォトマルチプライア６０によって光電的に検出されて、生成されたアナログデータは、積分アンプ６５によって、積分される。
【０２１８】
第２のレーザ励起光源３２がオンされた後、所定の時間、たとえば、数μ秒が経過すると、コントロールユニット８０は、積分アンプ６５によって生成されたアナログデータの積分値を、Ａ／Ｄ変換器６３に出力して、ディジタルデータに変換し、データ処理装置６４に出力させる。
【０２１９】
同時に、コントロールユニット８０は、第２のレーザ励起光源３２に駆動停止信号を出力して、第２のレーザ励起光源３２の駆動を停止させるとともに、主走査ステッピングモータ７５に、駆動信号を出力して、光学ヘッド４５を、生化学解析用ユニット１の基板２に形成された隣り合う吸着性領域４の間の距離に等しい１ピッチだけ、移動させる。
【０２２０】
リニアエンコーダ７７から入力された光学ヘッド４５の位置検出信号に基づいて、光学ヘッド４５が、生化学解析用ユニット１の基板２に形成された隣り合う吸着性領域４の間の距離に等しい１ピッチだけ移動されて、第２のレーザ励起光源３２から発せられるレーザ光３４を、生化学解析用ユニット１の基板２に形成された第２の吸着性領域４に照射可能な位置に移動したことが確認されると、コントロールユニット８０は、第２のレーザ励起光源３２に駆動信号を出力して、第２のレーザ励起光源３２をオンさせて、レーザ光３４によって、生化学解析用ユニット１の基板２に形成された第２の吸着性領域４に含まれている蛍光物質、たとえば、ローダミンを励起する。
【０２２１】
同様にして、所定の時間にわたり、レーザ光３４が、生化学解析用ユニット１の基板２に形成された第２の吸着性領域４に照射され、第２吸着性領域４から放出された蛍光５５が、フォトマルチプライア６０によって、光電的に検出されて、アナログデータが生成され、生成されたアナログデータが、積分アンプ６５によって、積分される。
【０２２２】
第２のレーザ励起光源３２がオンされてから、所定の時間が経過すると、コントロールユニット８０は、積分アンプ６５によって生成されたアナログデータの積分値を、Ａ／Ｄ変換器６３に出力して、ディジタル化し、データ処理装置６３に出力する。
【０２２３】
同時に、コントロールユニット８０は、第２のレーザ励起光源３２に駆動停止信号を出力して、第２のレーザ励起光源３２をオフさせるとともに、主走査ステッピングモータ７５に、駆動信号を出力して、光学ヘッド４５を、生化学解析用ユニット１の基板２に形成された隣り合う吸着性領域４の間の距離に等しい１ピッチだけ、移動させる。
【０２２４】
こうして、光学ヘッド４５の間欠的な移動に同期して、第１のレーザ励起光源３１のオン・オフが繰り返され、リニアエンコーダ７７から入力された光学ヘッド４５の位置検出信号に基づき、光学ヘッド４５が、主走査方向に１ライン分だけ、移動され、生化学解析用ユニット１の基板２に形成された第１ライン目のすべての吸着性領域４を、レーザ光３４により、走査したことが確認されると、コントロールユニット８０は、主走査ステッピングモータ７５に駆動信号を出力して、光学ヘッド４５を元の位置に復帰させるとともに、副走査パルスモータ７１に駆動信号を出力して、移動可能な基板７３を、副走査方向に、１ライン分だけ、移動させる。
【０２２５】
リニアエンコーダ７７から入力された光学ヘッド４５の位置検出信号に基づいて、光学ヘッド４５が元の位置に復帰され、また、移動可能な基板７３が、副走査方向に、１ライン分だけ、移動されたことが確認されると、コントロールユニット８０は、生化学解析用ユニット１の基板２に形成された第１ライン目の吸着性領域４に、順次、第２のレーザ励起光源３２から発せられるレーザ光３４を照射したのと全く同様にして、生化学解析用ユニット１の基板２に形成された第２ライン目の吸着性領域４に含まれているローダミンを励起し、第２ライン目の吸着性領域４から放出された蛍光５５を、順次、フォトマルチプライア６０によって、光電的に検出させる。
【０２２６】
フォトマルチプライア６０によって、蛍光５５が光電的に検出されて、生成されたアナログデータは、積分アンプ６５によって、積分される。
【０２２７】
第２のレーザ励起光源３２がオンされてから、所定の時間が経過すると、コントロールユニット８０は、積分アンプ６５によって生成されたアナログデータの積分値を、Ａ／Ｄ変換器６３に出力して、ディジタルデータに変換し、データ処理装置６４に出力させる。
【０２２８】
こうして、生化学解析用ユニット１の基板２に形成されたすべての吸着性領域４が、第２のレーザ励起光源３２から放出されたレーザ光３４によって走査され、生化学解析用ユニット１の基板２に形成された多数の吸着性領域４に含まれているローダミンが励起されて、放出された蛍光５５が、フォトマルチプライア６０によって光電的に検出され、生成されたアナログデータが、積分アンプ６５によって、積分され、積分アンプ６５によって生成されたアナログデータの積分値が、Ａ／Ｄ変換器６３によって、ディジタルデータに変換されて、データ処理装置６４に送られると、コントロールユニット８０から、駆動停止信号が、第２のレーザ励起光源３２に出力されて、第２のレーザ励起光源３２の駆動が停止される。
【０２２９】
以上のようにして、生化学解析用ユニット１の多数の吸着性領域４に記録された蛍光データが読み取られて、生化学解析用データが生成される。
【０２３０】
こうして、放射線データおよび蛍光データが読み取られて、生化学解析用データが生成され、生化学解析が実行されるが、生化学解析の定量性を向上させるためには、生化学解析用ユニットの各吸着性領域４に滴下された特異的結合物質を含む溶液の量を正確に把握することが必要である。
【０２３１】
しかしながら、特異的結合物質を含む溶液の滴下量は、スポッティング装置によって異なり、また、同じスポッティング装置でも、滴下すべき特異的結合物質を含む溶液の物性、とくに粘度および特異的結合物質を含む溶液が滴下される吸着性領域４を形成している吸着性材料によって異なるため、スポッティング装置の溶液滴下特性を、滴下される溶液の物性および吸着性領域４を形成している吸着性材料ごとに、測定することが必要である。
【０２３２】
図１５は、スポッティング装置の溶液滴下特性を測定するために用いられる生化学解析用ユニットの略斜視図である。
【０２３３】
図１５に示されるように、生化学解析用ユニット９１は、放射線データおよび蛍光データが記録された図１に示される生化学解析用ユニット１と全く同様に構成され、多数の貫通孔９３が形成されたステンレス鋼製の基板９２を備え、基板９２に形成された多数の貫通孔９３内に、ナイロン６が充填されて、多数の吸着性領域９４、９４ａ、９４ｂが形成されている。
【０２３４】
図１５に示されるように、生化学解析用ユニット９１の基板９２には、図１に示された生化学解析用ユニット１と全く同様に、２つの円形の位置合わせ用貫通孔９５、９５が形成されている。
【０２３５】
スポッティング装置の特異的結合物質を含む溶液の滴下特性を測定するにあたっては、図１に示された生化学解析用ユニット１に、放射線データおよび蛍光データを記録するために、生化学解析用ユニット１の多数の吸着性領域４に滴下されたｃＤＮＡなどの特異的結合物質を含む溶液と同じ粘度を有し、蛍光物質を含む検査用溶液が調製される。
【０２３６】
ここに、蛍光物質としては、比較的長波長の光によって、効率的に励起可能なＣｙ５が使用されている。
【０２３７】
次いで、１マイクロリットルの検査用溶液が、ピペット（図示せず）によって計量されて、生化学解析用ユニット９１の基板９２に形成された多数の吸着性領域９４のうち、第１の吸着性領域９４ａに滴下される。
【０２３８】
さらに、生化学解析用ユニット９１が、図２および図３に示されたスポッティング装置の基板１０に形成された２つの位置決めピン２０ａ、２０ｂが、それぞれ、生化学解析用ユニット９１の対応する２つの位置決め用の貫通孔９５、９５内に挿通されるように、スポッティング装置の基板１０上に載置され、同じ検査用溶液が、スポッティング装置によって、生化学解析用ユニット９１の基板２に形成された多数の吸着性領域９４のうち、第１の吸着性領域４ａに隣り合った第２の吸着性領域４ｂに滴下される。
【０２３９】
こうして、生化学解析用ユニット９１の第１の吸着性領域９４ａおよび第２の吸着性領域９４ｂに、検査用溶液が滴下された生化学解析用ユニット９１は、ユーザーによって、図７に示されたスキャナのステージ５０のガラス板５１上にセットされる。
【０２４０】
次いで、ユーザーによって、滴下特性測定信号が、キーボード８１に入力される。
【０２４１】
キーボード８１に入力された滴下特性測定信号は、コントロールユニット８０に入力され、コントロールユニット８０は、滴下特性測定信号にしたがって、フィルタユニットモータ８２に駆動信号を出力し、フィルタユニット５８を移動させ、検査用溶液に含まれたＣｙ５を最も効率的に励起可能な６４０ｎｍの波長の光をカットし、６４０ｎｍよりも波長の長い光を透過する性質を有するフィルタ６２ａを備えたフィルタ部材６１ａを、蛍光５５の光路内に位置させる。
【０２４２】
さらに、コントロールユニット８０は、主走査ステッピングモータ７５に駆動信号を出力し、光学ヘッド４５を主走査方向に移動させ、リニアエンコーダから入力される光学ヘッド４５の位置検出信号に基づいて、ステージ５０にセットされた生化学解析用ユニット９１の第１の吸着性領域９４ａに、レーザ光３４を照射可能な位置に、光学ヘッド４５が達したことが確認されると、主走査ステッピングモータ７５に停止信号を出力するとともに、検査用溶液に含まれたＣｙ５を最も効率的に励起可能な６４０ｎｍの波長のレーザ光３４を発する第１のレーザ励起光源３１に駆動信号を出力して、第１のレーザ励起光源３１を起動させ、６４０ｎｍの波長のレーザ光３４を発せさせる。
【０２４３】
第１のレーザ励起光源３１から発せられたレーザ光３４は、コリメータレンズ３５によって、平行な光とされた後、ミラー４６に入射して、反射される。
【０２４４】
ミラー４６によって反射されたレーザ光３４は、第１のダイクロイックミラー３７および第２のダイクロイックミラー４８を透過し、ミラー３９に入射する。
【０２４５】
ミラー３９に入射したレーザ光３４は、ミラー３９によって反射されて、さらに、ミラー４２に入射して、反射される。
【０２４６】
ミラー４２によって反射されたレーザ光３４は、穴開きミラー４４の穴４３を通過して、凹面ミラー４８に入射する。
【０２４７】
凹面ミラー４８に入射したレーザ光３４は、凹面ミラー４８によって反射されて、光学ヘッド４５に入射する。
【０２４８】
光学ヘッド４５に入射したレーザ光３４は、ミラー４６によって反射され、非球面レンズ４７によって、ステージ５０のガラス板５１上に載置された生化学解析用ユニット９１の第１の吸着性領域９４ａに集光される。
【０２４９】
その結果、生化学解析用ユニット９１の第１の吸着性領域９４ａに含まれているＣｙ５が、６４０ｎｍの波長のレーザ光３４によって、励起されて、第１の吸着性領域９４ａから、蛍光５５が放出される。
【０２５０】
生化学解析用ユニット９１の第１の吸着性領域９４ａから放出された蛍光５５は、光学ヘッド４５に設けられた非球面レンズ４７によって集光され、ミラー４６により、レーザ光３４の光路と同じ側に反射され、平行な光とされて、凹面ミラー４８に入射する。
【０２５１】
凹面ミラー４８に入射した蛍光５５は、凹面ミラー４８によって反射されて、穴開きミラー４４に入射する。
【０２５２】
穴開きミラー４４に入射した蛍光５５は、凹面ミラーによって形成された穴開きミラー４４によって、図８に示されるように、下方に反射され、フィルタユニット５８のフィルタ６２ａに入射する。
【０２５３】
フィルタ６２ａは、６４０ｎｍの波長の光をカットし、６４０ｎｍよりも波長の長い光のみを透過する性質を有し、蛍光物質から放出された蛍光５５は励起光よりも長い波長を有しているので、生化学解析用ユニット９１の第１の吸着性領域９４ａから放出された蛍光５５のみがフィルタ６２ａを透過して、フォトマルチプライア６０によって、光電的に検出される。
【０２５４】
フォトマルチプライア６０によって、蛍光５５が光電的に検出されて、生成されたアナログデータは、積分アンプ６５によって、積分される。
【０２５５】
第１のレーザ励起光源３２がオンされてから、所定の時間が経過すると、コントロールユニット８０は、第１のレーザ励起光源３１に駆動停止信号を出力して、第１のレーザ励起光源３１をオフさせるとともに、積分アンプ６５によって生成されたアナログデータの積分値を、Ａ／Ｄ変換器６３に出力して、ディジタルデータに変換し、データ処理装置６４に出力させる。
【０２５６】
データ処理装置６４に出力されたディジタルデータは、メモリ（図示せず）に保存される。
【０２５７】
こうして、生化学解析用ユニット９１の第１の吸着性領域９４ａから放出された蛍光５５が光電的に検出されて、ディジタルデータが生成され、データ処理装置６４のメモリに記憶されると、コントロールユニット８０は、第１のレーザ励起光源３１に駆動停止信号を出力して、第１のレーザ励起光源３１をオフさせるとともに、主走査ステッピングモータ７５に、駆動信号を出力して、光学ヘッド４５を、生化学解析用ユニット９１の基板９２に形成された隣り合う吸着性領域９４の間の距離に等しい１ピッチだけ、移動させる。
【０２５８】
リニアエンコーダ７７から入力された光学ヘッド４５の位置検出信号に基づいて、光学ヘッド４５が、生化学解析用ユニット９１の基板９２に形成された隣り合う吸着性領域９４の間の距離に等しい１ピッチだけ、移動されて、第１のレーザ励起光源３１から発せられるレーザ光３４を、生化学解析用ユニット９１の基板９２に形成された第２の吸着性領域９４ｂに照射可能な位置に移動したことが確認されると、コントロールユニット８０は、第１のレーザ励起光源３１に駆動信号を出力して、第１のレーザ励起光源３１をオンさせて、６４０ｎｍの波長のレーザ光３４を放出させる。
【０２５９】
生化学解析用ユニット９１の第１の吸着性領域９４ａに含まれている蛍光物質を、レーザ光３４によって励起したのと全く同様にして、レーザ光３４が、生化学解析用ユニット９１の基板９２に形成された第２の吸着性領域９４ｂに照射され、第２の吸着性領域９４ｂに含まれている蛍光物質が励起されて、蛍光５５が放出される。
【０２６０】
生化学解析用ユニット９１の第２の吸着性領域９４ｂから放出された蛍光５５は、光学ヘッド４５に設けられた非球面レンズ４７によって集光され、ミラー４６により、レーザ光３４の光路と同じ側に反射され、平行な光とされて、凹面ミラー４８に入射する。
【０２６１】
凹面ミラー４８に入射した蛍光５５は、凹面ミラー４８によって反射されて、穴開きミラー４４に入射する。
【０２６２】
穴開きミラー４４に入射した蛍光５５は、凹面ミラーによって形成された穴開きミラー４４によって、図８に示されるように、下方に反射され、フィルタユニット５８のフィルタ６２ａに入射する。
【０２６３】
フィルタ６２ａに入射した蛍光５５は、フィルタ６２ａを透過して、フォトマルチプライア６０によって、光電的に検出される。
【０２６４】
フォトマルチプライア６０によって、蛍光５５が光電的に検出されて、生成されたアナログデータは、積分アンプ６５によって、積分される。
【０２６５】
第１のレーザ励起光源３２がオンされてから、所定の時間が経過すると、コントロールユニット８０は、第１のレーザ励起光源３１に駆動停止信号を出力して、第１のレーザ励起光源３１をオフさせるとともに、積分アンプ６５によって生成されたアナログデータの積分値を、Ａ／Ｄ変換器６３に出力して、ディジタルデータに変換し、データ処理装置６４に出力させる。
【０２６６】
データ処理装置６４に出力されたディジタルデータは、メモリ（図示せず）に保存される。
【０２６７】
こうして、生化学解析用ユニット９１の第１の吸着性領域９４ａから放出された蛍光５５および第２の吸着性領域９４ｂから放出された蛍光５５が光電的に検出されて、ディジタルデータが生成され、データ処理装置６４のメモリに記憶されると、コントロールユニット８０は、データ処理装置６４に演算指示信号を出力して、メモリの記憶されたディジタルデータの信号強度を算出させ、ＣＲＴなどの表示手段（図示せず）の画面上に、表示させる。
【０２６８】
本実施態様においては、生化学解析用ユニット９１の第１の吸着性領域９４ａには、蛍光物質を含む１マイクロリットルの検査用溶液が滴下され、一方、第２の吸着性領域９４ｂには、同じ検査用溶液が、スポッティング装置によって滴下されているから、生化学解析用ユニット９１の第１の吸着性領域９４ａから放出された蛍光５５を検出して得たディジタルデータの信号強度と、第２の吸着性領域９４ｂから放出された蛍光５５を検出して得たディジタルデータの信号強度とを比較することによって、スポッティング装置によって、滴下された検査用溶液の量を検出することができ、スポッティング装置の溶液滴下特性を測定することができる。
【０２６９】
レーザ光３４が、生化学解析用ユニット９１の第１の吸着性領域９４ａあるいは第２の吸着性領域９４ｂに照射されると、第１の吸着性領域９４ａ、吸着性領域９４ｂを形成しているナイロン６からも蛍光が放出されるが、本実施態様においては、検査用溶液には、比較的長波長の励起光によって、効率的に励起可能なＣｙ５が含まれているから、Ｃｙ５から放出された蛍光５５と、ナイロン６から放出された蛍光とを効果的に分離することができ、したがって、精度よく、スポッティング装置の溶液滴下特性を測定することが可能になる。
【０２７０】
スポッティング装置の溶液滴下特性は、滴下されるべき溶液の物性、とくに粘度によって、変化するため、生化学解析用ユニット１、９１の吸着性領域４、４ａ、４ｂに、滴下すべき特異的結合物質を含む溶液の粘度が異なる場合には、同様にして、あらためて、スポッティング装置の溶液滴下特性が測定される。
【０２７１】
また、スポッティング装置の溶液滴下特性は、生化学解析用ユニット１、９１の吸着性領域４、４ａ、４ｂを形成している吸着性材料の溶液吸収能によって、変化するため、生化学解析用ユニット１、９１の吸着性領域４、４ａ、４ｂが、異なる吸着性材料によって、形成されている場合には、同様にして、あらためて、スポッティング装置の溶液滴下特性が測定される。
【０２７２】
本実施態様によれば、生化学解析用ユニット１の多数の吸着性領域４に滴下された特異的結合物質を含む溶液と同一の物性を有し、蛍光物質を含む検査用溶液を調製して、生化学解析用ユニット９１の第１の吸着性領域９４ａに、計量された検査用溶液を滴下し、第２の吸着性領域９４ｂに、スポッティング装置を用いて、同じ検査用溶液を滴下して、第１の吸着性領域９４ａおよび第２の吸着性領域９４ｂに含まれている蛍光物質を、レーザ光３４によって励起し、第１の吸着性領域９４ａおよび第２の吸着性領域９４ｂから放出された蛍光５５を、それぞれ、光電的に検出して、生成されたディジタルデータの信号強度を比較して、スポッティング装置から滴下された溶液の量を測定しているから、きわめて高い精度で、スポッティング装置の溶液滴下特性を測定することが可能になる。
【０２７３】
蛍光物質を含む検査用溶液に代えて、放射性標識物質を含む検査用溶液を調製して、スポッティング装置の溶液滴下特性を測定することもできる。
【０２７４】
すなわち、まず、図１に示された生化学解析用ユニット１に、放射線データおよび蛍光データを記録するために、生化学解析用ユニット１の多数の吸着性領域４に滴下されたｃＤＮＡなどの特異的結合物質を含む溶液と同じ粘度を有し、放射性標識物質を含む検査用溶液が調製される。
【０２７５】
次いで、１マイクロリットルの検査用溶液が、ピペット（図示せず）によって計量されて、生化学解析用ユニット９１の基板９２に形成された多数の吸着性領域９４のうち、第１の吸着性領域９４ａに滴下される。
【０２７６】
さらに、生化学解析用ユニット９１が、図２および図３に示されたスポッティング装置の基板１０に形成された２つの位置決めピン２０ａ、２０ｂが、それぞれ、生化学解析用ユニット９１の対応する２つの位置決め用の貫通孔９５、９５内に挿通されるように、スポッティング装置の基板１０上に載置され、同じ検査用溶液が、スポッティング装置によって、生化学解析用ユニット９１の基板２に形成された多数の吸着性領域９４のうち、第１の吸着性領域４ａに隣り合った第２の吸着性領域４ｂに滴下される。
【０２７７】
こうして、第１の吸着性領域９４ａおよび第２の吸着性領域９４ｂに、検査用溶液が滴下された生化学解析用ユニット９１は、蓄積性蛍光体シートに重ね合わされ、生化学解析用ユニット９１の第１の吸着性領域９４ａおよび第２の吸着性領域９４ｂに含まれている放射性標識物質によって、蓄積性蛍光体シートの輝尽性蛍光体層領域が露光される。
【０２７８】
図１６は、スポッティング装置の溶液滴下特性を測定するために用いられる蓄積性蛍光体シートの略斜視図である。
【０２７９】
図１６に示されるように、蓄積性蛍光体シート１００は、放射線データが記録された図５に示される蓄積性蛍光体シート２５と全く同様に構成され、多数の貫通孔１０３が形成されたステンレス鋼製の支持体１０１を備え、支持体１０１に形成された多数の貫通孔１０３内に、放射線エネルギーを吸収し、蓄積可能なＢａＦＸ系輝尽性蛍光体（ここに、Ｘは、Ｃｌ、ＢｒおよびＩからなる群から選ばれたハロゲン原子である。）が充填されて、多数の輝尽性蛍光体層領域１０２、１０２ａ、１０２ｂが、ドット状に形成されている。
【０２８０】
図１６に示されるように、蓄積性蛍光体シート１００の支持体１０１には、生化学解析用ユニット１の基板２に形成された２つの位置合わせ用貫通孔５、５に対応する位置に、２つの円形の位置合わせ用貫通孔１０５、１０５が形成されている。
【０２８１】
以上のように構成された蓄積性蛍光体シート１００が、第１の吸着性領域９４ａおよび第２の吸着性領域９４ｂに、検査用溶液が滴下された生化学解析用ユニット９１上に、蓄積性蛍光体シート１００の第１の輝尽性蛍光体層領域１０２ａが、生化学解析用ユニット９１の第１の吸着性領域９４ａに対向し、蓄積性蛍光体シート１００の大２の輝尽性蛍光体層領域１０２ｂが、生化学解析用ユニット９１の第２の吸着性領域９４ｂに対向するように重ね合わされ、生化学解析用ユニット９１の第１の吸着性領域９４ａおよび第２の吸着性領域９４ｂに含まれている放射性標識物質によって、蓄積性蛍光体シート１００の第１の輝尽性蛍光体層領域１０２ａおよび第２の輝尽性蛍光体層領域１０２ｂが、所定の時間にわたって、露光される。
【０２８２】
露光操作が完了すると、蓄積性蛍光体シート１００が、ユーザーによって、図７に示されたスキャナのステージ５０のガラス板５１上にセットされる。
【０２８３】
次いで、ユーザーによって、滴下特性測定信号が、キーボード８１に入力される。
【０２８４】
キーボード８１に入力された滴下特性測定信号は、コントロールユニット８０に入力され、コントロールユニット８０は、滴下特性測定信号にしたがって、フィルタユニットモータ８２に駆動信号を出力し、フィルタユニット５８を移動させ、輝尽性蛍光体から放出される輝尽光５５の波長域の光のみを透過し、６４０ｎｍの波長の光をカットする性質を有するフィルタ６２ｄを備えたフィルタ部材６１ｄを、輝尽光５５の光路内に位置させる。
【０２８５】
さらに、コントロールユニット８０は、主走査ステッピングモータ７５に駆動信号を出力して、光学ヘッド４５を主走査方向に移動させ、リニアエンコーダから入力される光学ヘッド４５の位置検出信号に基づいて、蓄積性蛍光体シート１００の支持体１０１に形成された第１の輝尽性蛍光体層領域１０２ａに、レーザ光３４を照射可能な位置に、光学ヘッド４５が達したことが確認されると、主走査ステッピングモータ７５に停止信号を出力するとともに、第１のレーザ励起光源３１に駆動信号を出力して、第１のレーザ励起光源３１を起動させ、６４０ｎｍの波長のレーザ光３４を発せさせる。
【０２８６】
第１のレーザ励起光源３１から発せられたレーザ光３４は、コリメータレンズ３５によって、平行な光とされた後、ミラー４６に入射して、反射される。
【０２８７】
ミラー４６によって反射されたレーザ光３４は、第１のダイクロイックミラー３７および第２のダイクロイックミラー４８を透過し、ミラー３９に入射する。
【０２８８】
ミラー３９に入射したレーザ光３４は、ミラー３９によって反射されて、さらに、ミラー４２に入射して、反射される。
【０２８９】
ミラー４２によって反射されたレーザ光３４は、穴開きミラー４４の穴４３を通過して、凹面ミラー４８に入射する。
【０２９０】
凹面ミラー４８に入射したレーザ光３４は、凹面ミラー４８によって反射されて、光学ヘッド４５に入射する。
【０２９１】
光学ヘッド４５に入射したレーザ光３４は、ミラー４６によって反射され、非球面レンズ４７によって、ステージ５０のガラス板５１上に載置された蓄積性蛍光体シート１００の第１の輝尽性蛍光体層領域１０２ａに集光される。
【０２９２】
レーザ光３４が、蓄積性蛍光体シート１００の支持体１０１に形成された第１の輝尽性蛍光体層領域１０２ａに入射すると、第１の輝尽性蛍光体層領域１０２ａに含まれている輝尽性蛍光体が、レーザ光３４によって励起されて、第１の輝尽性蛍光体層領域１０２ａから輝尽光５５が放出される。
【０２９３】
第１の輝尽性蛍光体領域１０２ａから放出された輝尽光５５は、光学ヘッド４５に設けられた非球面レンズ４７によって集光され、ミラー４６により、レーザ光３４の光路と同じ側に反射され、平行な光とされて、凹面ミラー４８に入射する。
【０２９４】
凹面ミラー４８に入射した輝尽光５５は、凹面ミラー４８によって反射されて、穴開きミラー４４に入射する。
【０２９５】
穴開きミラー４４に入射した輝尽光５５は、凹面ミラーによって形成された穴開きミラー４４によって、図８に示されるように、下方に反射され、フィルタユニット５８のフィルタ６２ｄに入射する。
【０２９６】
フィルタ６２ｄは、輝尽性蛍光体から放出される輝尽光５５の波長域の光のみを透過し、６４０ｎｍの波長の光をカットする性質を有しているので、励起光である６４０ｎｍの波長の光がカットされ、輝尽性蛍光体層領域２７から放出された輝尽光５５の波長域の光のみがフィルタ６２ｄを透過して、フォトマルチプライア６０によって、光電的に検出される。
【０２９７】
フォトマルチプライア６０によって、輝尽光５５が光電的に検出されて、生成されたアナログデータは、積分アンプ６５によって、積分される。
【０２９８】
第１のレーザ励起光源３１がオンされた後、所定の時間、たとえば、数μ秒が経過すると、コントロールユニット８０は、積分アンプ６５によって生成されたアナログデータの積分値を、Ａ／Ｄ変換器６３に出力して、ディジタルデータに変換し、データ処理装置６４に出力させる。
【０２９９】
データ処理装置６４に出力されたディジタルデータは、メモリ（図示せず）に保存される。
【０３００】
こうして、蓄積性蛍光体シート１００の第１の輝尽性蛍光体層領域１０２ａから放出された輝尽光５５が光電的に検出されて、ディジタルデータが生成され、データ処理装置６４のメモリに記憶されると、コントロールユニット８０は、第１のレーザ励起光源３１に駆動停止信号を出力して、第１のレーザ励起光源３１の駆動を停止させるとともに、主走査ステッピングモータ７５に、駆動信号を出力して、光学ヘッド４５を、蓄積性蛍光体シート１００の支持体１０１に形成された隣り合う輝尽性蛍光体層領域１０２の間の距離に等しい１ピッチだけ、移動させる。
【０３０１】
リニアエンコーダ７７から入力された光学ヘッド４５の位置検出信号に基づいて、光学ヘッド４５が、蓄積性蛍光体シート１００の支持体１０１に形成された隣り合う輝尽性蛍光体層領域１０２の間の距離に等しい１ピッチだけ移動されて、第１のレーザ励起光源３１から発せられるレーザ光３４を、蓄積性蛍光体シート１００の支持体１０１に形成された第１の輝尽性蛍光体層領域１０２ａに隣り合う第２の輝尽性蛍光体層領域１０２ｂに照射可能な位置に移動したことが確認されると、コントロールユニット８０は、第１のレーザ励起光源３１に駆動信号を出力して、第１のレーザ励起光源３１をオンさせて、レーザ光３４を発せさせる。
【０３０２】
蓄積性蛍光体シート１００の第１の輝尽性蛍光体層領域１０２ａに含まれている輝尽性蛍光体を、レーザ光３４によって励起したのと全く同様にして、レーザ光３４が、蓄積性蛍光体シート１００の第２の輝尽性蛍光体層領域１０２ｂに照射され、第２の輝尽性蛍光体層領域１０２ｂに含まれている輝尽性蛍光体が励起されて、輝尽光５５が放出される。
【０３０３】
蓄積性蛍光体シート１００の第２の輝尽性蛍光体層領域１０２ｂから放出された輝尽光５５は、光学ヘッド４５に設けられた非球面レンズ４７によって集光され、ミラー４６により、レーザ光３４の光路と同じ側に反射され、平行な光とされて、凹面ミラー４８に入射する。
【０３０４】
凹面ミラー４８に入射した輝尽光５５は、凹面ミラー４８によって反射されて、穴開きミラー４４に入射する。
【０３０５】
穴開きミラー４４に入射した輝尽光５５は、凹面ミラーによって形成された穴開きミラー４４によって、図８に示されるように、下方に反射され、フィルタユニット５８のフィルタ６２ａに入射する。
【０３０６】
フィルタ６２ａに入射した輝尽光５５は、フィルタ６２ａを透過して、フォトマルチプライア６０によって、光電的に検出される。
【０３０７】
フォトマルチプライア６０によって、輝尽光５５が光電的に検出されて、生成されたアナログデータは、積分アンプ６５によって、積分される。
【０３０８】
第１のレーザ励起光源３２がオンされてから、所定の時間が経過すると、コントロールユニット８０は、第１のレーザ励起光源３１に駆動停止信号を出力して、第１のレーザ励起光源３１をオフさせるとともに、積分アンプ６５によって生成されたアナログデータの積分値を、Ａ／Ｄ変換器６３に出力して、ディジタルデータに変換し、データ処理装置６４に出力させる。
【０３０９】
データ処理装置６４に出力されたディジタルデータは、メモリ（図示せず）に保存される。
【０３１０】
こうして、蓄積性蛍光体シート１００の第１の輝尽性蛍光体層領域１０２ａから放出された輝尽光５５および第２の輝尽性蛍光体層領域１０２ｂから放出された輝尽光５５が光電的に検出されて、ディジタルデータが生成され、データ処理装置６４のメモリに記憶されると、コントロールユニット８０は、データ処理装置６４に演算指示信号を出力して、メモリの記憶されたディジタルデータの信号強度を算出させ、ＣＲＴなどの表示手段（図示せず）の画面上に、表示させる。
【０３１１】
本実施態様においては、生化学解析用ユニット９１の第１の吸着性領域９４ａには、放射性標識物質を含む１マイクロリットルの検査用溶液が滴下され、一方、第２の吸着性領域９４ｂには、同じ検査用溶液が、スポッティング装置によって滴下されて、それぞれに含まれている放射性標識物質によって、蓄積性蛍光体シート１００の第１の輝尽性蛍光体層領域１０２ａおよび第２の輝尽性蛍光体層領域１０２ｂが露光されているから、蓄積性蛍光体シート１００の第１の輝尽性蛍光体層領域１０２ａから放出された輝尽光５５を検出して得たディジタルデータの信号強度と、第２の輝尽性蛍光体層領域１０２ｂから放出された輝尽光５５を検出して得たディジタルデータの信号強度とを比較することによって、スポッティング装置によって、滴下された検査用溶液の量を検出することができ、スポッティング装置の溶液滴下特性を測定することができる。
【０３１２】
スポッティング装置の溶液滴下特性は、滴下されるべき溶液の物性、とくに粘度によって、変化するため、生化学解析用ユニット１、９１の吸着性領域４、４ａ、４ｂに、滴下すべき特異的結合物質を含む溶液の粘度が異なる場合には、同様にして、あらためて、スポッティング装置の溶液滴下特性が測定される。
【０３１３】
また、スポッティング装置の溶液滴下特性は、生化学解析用ユニット１、９１の吸着性領域４、４ａ、４ｂを形成している吸着性材料の溶液吸収能によって、変化するため、生化学解析用ユニット１、９１の吸着性領域４、４ａ、４ｂが、異なる吸着性材料によって、形成されている場合には、同様にして、あらためて、スポッティング装置の溶液滴下特性が測定される。
【０３１４】
本実施態様によれば、生化学解析用ユニット１の多数の吸着性領域４に滴下された特異的結合物質を含む溶液と同一の物性を有し、放射性標識物質を含む検査用溶液を調製して、生化学解析用ユニット９１の第１の吸着性領域９４ａに、計量された検査用溶液を滴下するとともに、第２の吸着性領域９４ｂに、スポッティング装置を用いて、同じ検査用溶液を滴下し、蓄積性蛍光体シート１００を、蓄積性蛍光体シート１００の第１の輝尽性蛍光体層領域１０２ａが、生化学解析用ユニット９１の第１の吸着性領域９４ａに対向し、蓄積性蛍光体シート１００の第２の輝尽性蛍光体層領域１０２ｂが、生化学解析用ユニット９１の第２の吸着性領域９４ｂに対向するように、生化学解析用ユニット９１に重ね合わせて、生化学解析用ユニット９１の第１の吸着性領域９４ａおよび第２の吸着性領域９４ｂに含まれている放射性標識物質によって、蓄積性蛍光体シート１００の第１の輝尽性蛍光体層領域１０２ａおよび第２の輝尽性蛍光体層領域１０２ｂを露光し、露光された蓄積性蛍光体シート１００の第１の輝尽性蛍光体層領域１０２ａおよび第２の輝尽性蛍光体層領域１０２ｂにレーザ比ｋ３４を照射して、蓄積性蛍光体シート１００の第１の輝尽性蛍光体層領域１０２ａおよび第２の輝尽性蛍光体層領域１０２ｂに含まれている輝尽性蛍光体を励起し、蓄積性蛍光体シート１００の第１の輝尽性蛍光体層領域１０２ａおよび第２の輝尽性蛍光体層領域１０２ｂから放出された輝尽光５５を、それぞれ、光電的に検出して、生成されたディジタルデータの信号強度を比較して、スポッティング装置から滴下された溶液の量を測定しているから、きわめて高い精度で、スポッティング装置の溶液滴下特性を測定することが可能になる。
【０３１５】
図１７は、スポッティング装置の溶液滴下特性を測定するために用いられる生化学解析用ユニットの他の例を示す略斜視図である。
【０３１６】
図１７に示されるように、生化学解析用ユニット１１１は、ナイロン６によって形成された吸着性基板１１２を備えている。
【０３１７】
図１７に示されるように、生化学解析用ユニット１１１の吸着性基板１１２には、図１に示された生化学解析用ユニット１と同様に、２つの円形の位置合わせ用貫通孔１１５、１１５が形成されている。
【０３１８】
スポッティング装置の特異的結合物質を含む溶液の滴下特性を測定するにあたっては、図１に示された生化学解析用ユニット１に、放射線データおよび蛍光データを記録するために、生化学解析用ユニット１の多数の吸着性領域４に滴下されたｃＤＮＡなどの特異的結合物質を含む溶液と同じ粘度を有し、蛍光物質を含む検査用溶液が調製される。
【０３１９】
ここに、蛍光物質としては、比較的長波長の光によって、効率的に励起可能なＣｙ５が使用されている。
【０３２０】
次いで、１マイクロリットルの検査用溶液が、ピペット（図示せず）によって計量されて、生化学解析用ユニット１１１の吸着性基板１１２に滴下され、基準スポット状領域１１６が形成される。
【０３２１】
さらに、生化学解析用ユニット９１が、図２および図３に示されたスポッティング装置の基板１０に形成された２つの位置決めピン２０ａ、２０ｂが、それぞれ、生化学解析用ユニット１１１の対応する２つの位置決め用の貫通孔１１５、１１５内に挿通されるように、スポッティング装置の基板１０上に載置され、同じ検査用溶液が、スポッティング装置によって、生化学解析用ユニット１１１の吸着性基板１１２の基準スポット領域１１６とは異なる位置に滴下されて、検査用スポット状領域１１７が形成される。
【０３２２】
図１８は、基準スポット状領域１１６と、検査用スポット状領域１１７が形成された生化学解析用ユニット１１１の略斜視図である。
【０３２３】
図１８に示されるように、生化学解析用ユニット１１１の吸着性基板１１２に滴下された検査用溶液は、吸着性基板１１２に浸透し、略円形の基準スポット状領域１１６および検査用スポット状領域１１７が、生化学解析用ユニット１１１の吸着性基板１１２に形成される。
【０３２４】
こうして、生化学解析用ユニット１１１の吸着性基板１１２に、基準スポット状領域１１６および検査用スポット状領域１１７が形成された生化学解析用ユニット１１１は、ユーザーによって、スキャナにセットされ、基準スポット状領域１１６および検査用スポット状領域１１７が、レーザ光によって、走査される。
【０３２５】
図１９は、生化学解析用ユニット１１１の基準スポット状領域１１６および検査用スポット状領域１１７を、レーザ光によって走査するスキャナの制御系、入力系、駆動系および検出系を示すブロックダイアグラムである。
【０３２６】
図１９に示されるように、スキャナは、光学ヘッド４５が固定されているエンドレスベルト７６を、図１３において、矢印Ｙで示される主走査方向に、間欠的に駆動する主走査ステッピングモータ７５に代えて、エンドレスベルト７６を、図１３において、矢印Ｙで示される主走査方向に、一定速度で、連続的に駆動する主走査モータ１２０を備えている点を除き、図７ないし図１４に示されたスキャナと同一の構成を有している。
【０３２７】
まず、ユーザーによって、吸着性基板１１２に、基準スポット状領域１１６および検査用スポット状領域１１７形成された生化学解析用ユニット１１１がｍステージ５０のガラス板５１上にセットされる。
【０３２８】
次いで、ユーザーによって、滴下特性測定信号が、キーボード８１に入力される。
【０３２９】
キーボード８１に入力された滴下特性測定信号は、コントロールユニット８０に入力され、コントロールユニット８０は、滴下特性測定信号にしたがって、フィルタユニットモータ８２に駆動信号を出力し、フィルタユニット５８を移動させ、検査用溶液に含まれたＣｙ５を最も効率的に励起可能な６４０ｎｍの波長の光をカットし、６４０ｎｍよりも波長の長い光を透過する性質を有するフィルタ６２ａを備えたフィルタ部材６１ａを、蛍光５５の光路内に位置させる。
【０３３０】
次いで、コントロールユニット８０は、主走査モータ１２０に駆動信号を出力して、光学ヘッド３５を主走査方向に、一定速度で移動させるとともに、検査用溶液に含まれたＣｙ５を最も効率的に励起可能な６４０ｎｍの波長のレーザ光３４を発する第１のレーザ励起光源３１に駆動信号を出力して、第１のレーザ励起光源３１を起動させ、６４０ｎｍの波長のレーザ光３４を発せさせる。
【０３３１】
第１のレーザ励起光源３１から発せられたレーザ光３４は、コリメータレンズ３５によって、平行な光とされた後、ミラー４６に入射して、反射される。
【０３３２】
ミラー４６によって反射されたレーザ光３４は、第１のダイクロイックミラー３７および第２のダイクロイックミラー４８を透過し、ミラー３９に入射する。
【０３３３】
ミラー３９に入射したレーザ光３４は、ミラー３９によって反射されて、さらに、ミラー４２に入射して、反射される。
【０３３４】
ミラー４２によって反射されたレーザ光３４は、穴開きミラー４４の穴４３を通過して、凹面ミラー４８に入射する。
【０３３５】
凹面ミラー４８に入射したレーザ光３４は、凹面ミラー４８によって反射されて、光学ヘッド４５に入射する。
【０３３６】
光学ヘッド４５に入射したレーザ光３４は、ミラー４６によって反射され、非球面レンズ４７によって、ステージ５０のガラス板５１上に載置された生化学解析用ユニット１１１の基準スポット状領域１１６に集光される。
【０３３７】
その結果、生化学解析用ユニット１１１の基準スポット状領域１１６に含まれているＣｙ５が、６４０ｎｍの波長のレーザ光３４によって、励起されて、基準スポット状領域１１６から、蛍光５５が放出される。
【０３３８】
生化学解析用ユニット１１１の基準スポット状領域１１６から放出された蛍光５５は、光学ヘッド４５に設けられた非球面レンズ４７によって集光され、ミラー４６により、レーザ光３４の光路と同じ側に反射され、平行な光とされて、凹面ミラー４８に入射する。
【０３３９】
凹面ミラー４８に入射した蛍光５５は、凹面ミラー４８によって反射されて、穴開きミラー４４に入射する。
【０３４０】
穴開きミラー４４に入射した蛍光５５は、凹面ミラーによって形成された穴開きミラー４４によって、図８に示されるように、下方に反射され、フィルタユニット５８のフィルタ６２ａに入射する。
【０３４１】
フィルタ６２ａは、６４０ｎｍの波長の光をカットし、６４０ｎｍよりも波長の長い光のみを透過する性質を有し、蛍光物質から放出された蛍光５５は励起光よりも長い波長を有しているので、生化学解析用ユニット１１１の吸着性基板１１２に形成された基準スポット状領域１１６から放出された蛍光５５のみがフィルタ６２ａを透過して、フォトマルチプライア６０によって、光電的に検出される。
【０３４２】
フォトマルチプライア６０によって、蛍光５５が光電的に検出されて、生成されたアナログデータは、積分アンプ６５によって、積分される。
【０３４３】
主走査モータ１２０は、光学ヘッド４５が固定されているエンドレスベルト７６を、図１３において、矢印Ｙで示される主走査方向に、一定速度で、連続的に駆動するように構成されているため、主走査モータ１２０によって、光学ヘッド４５が、主走査方向に、一定速度で、連続的に移動され、その結果、第１のレーザ励起光源３１から放出されたレーザ光３４は、基準スポット状領域１１６上を連続的に移動しつつ、基準スポット状領域１１６に含まれている蛍光物質を励起する。
【０３４４】
レーザ光３４が、生化学解析用ユニット１１１の基準スポット状領域１１６上を通り過ぎて、フォトマルチプライア６０によって、蛍光５５が検出されなくなると、コントロールユニット８０は、積分アンプ６５によって生成されたアナログデータの積分値を、Ａ／Ｄ変換器６３に出力して、ディジタルデータに変換し、データ処理装置６４に出力させる。
【０３４５】
データ処理装置６４に出力されたディジタルデータは、メモリ（図示せず）に保存される。
【０３４６】
光学ヘッド４５は、主走査モータ１２０によって、さらに、主走査方向に、連続的に移動され、その結果、生化学解析用ユニット１１１の吸着性基板１１２に形成された検査用スポット状領域１１７に、レーザ光３４が照射される。
【０３４７】
その結果、生化学解析用ユニット１１１の基準スポット状領域１１６に含まれているＣｙ５が、６４０ｎｍの波長のレーザ光３４によって、励起されて、基準スポット状領域１１６から、蛍光５５が放出される。
【０３４８】
生化学解析用ユニット１１１の基準スポット状領域１１６から放出された蛍光５５は、光学ヘッド４５に設けられた非球面レンズ４７によって集光され、ミラー４６により、レーザ光３４の光路と同じ側に反射され、平行な光とされて、凹面ミラー４８に入射する。
【０３４９】
凹面ミラー４８に入射した蛍光５５は、凹面ミラー４８によって反射されて、穴開きミラー４４に入射する。
【０３５０】
穴開きミラー４４に入射した蛍光５５は、凹面ミラーによって形成された穴開きミラー４４によって、図８に示されるように、下方に反射され、フィルタユニット５８のフィルタ６２ａに入射する。
【０３５１】
フィルタ６２ａに入射した蛍光５５は、フィルタ６２ａを透過して、フォトマルチプライア６０によって、光電的に検出される。
【０３５２】
フォトマルチプライア６０によって、蛍光５５が光電的に検出されて、生成されたアナログデータは、積分アンプ６５によって、積分される。
【０３５３】
レーザ光３４が、生化学解析用ユニット１１１の検査用基準スポット状領域１１７上を通り過ぎて、フォトマルチプライア６０によって、蛍光５５が検出されなくなると、コントロールユニット８０は、積分アンプ６５によって生成されたアナログデータの積分値を、Ａ／Ｄ変換器６３に出力して、ディジタルデータに変換し、データ処理装置６４に出力させる。
【０３５４】
データ処理装置６４に出力されたディジタルデータは、メモリ（図示せず）に保存される。
【０３５５】
こうして、生化学解析用ユニット１１１の吸着性基板１１２に形成された基準スポット状領域１１６から放出された蛍光５５および検査用スポット状領域１１７から放出された蛍光５５が光電的に検出されて、ディジタルデータが生成され、データ処理装置６４のメモリに記憶されると、コントロールユニット８０は、第１のレーザ励起光源３１に駆動停止信号を出力して、第１のレーザ励起光源３１をオフさせるとともに、データ処理装置６４に演算指示信号を出力して、メモリの記憶されたディジタルデータの信号強度を算出させ、ＣＲＴなどの表示手段（図示せず）の画面上に、表示させる。
【０３５６】
本実施態様においては、生化学解析用ユニット１１１の基準スポット状領域１１６は、吸着性基板１１２に、蛍光物質を含む１マイクロリットルの検査用溶液が滴下されて、形成され、一方、検査用スポット状領域１１７は、吸着性基板１１２に、同じ検査用溶液が、スポッティング装置によって滴下されて、形成されているから、生化学解析用ユニット１１１の基準スポット状領域１１６から放出された蛍光５５を検出して得たディジタルデータの信号強度と、検査用スポット状領域１１７から放出された蛍光５５を検出して得たディジタルデータの信号強度とを比較することによって、スポッティング装置によって、滴下された検査用溶液の量を検出することができ、スポッティング装置の溶液滴下特性を測定することができる。
【０３５７】
レーザ光３４が、生化学解析用ユニット１１１の基準スポット状領域１１６あるいは検査用スポット状領域１１７に照射されると、吸着性基板１１２を形成しているナイロン６からも蛍光が放出されるが、本実施態様においては、検査用溶液には、比較的長波長の励起光によって、効率的に励起可能なＣｙ５が含まれているから、Ｃｙ５から放出された蛍光５５と、ナイロン６から放出された蛍光とを効果的に分離することができ、したがって、精度よく、スポッティング装置の溶液滴下特性を測定することが可能になる。
【０３５８】
スポッティング装置の溶液滴下特性は、滴下されるべき溶液の物性、とくに粘度によって、変化するため、生化学解析用ユニット１、１１１に、滴下すべき特異的結合物質を含む溶液の粘度が異なる場合には、同様にして、あらためて、スポッティング装置の溶液滴下特性が測定される。
【０３５９】
また、スポッティング装置の溶液滴下特性は、生化学解析用ユニット１の吸着性領域４を形成している吸着性材料および生化学解析用ユニット１１１の吸着性基板１１２を形成している吸着性材料の溶液吸収能によって、変化するため、生化学解析用ユニット１の吸着性領域４および生化学解析用ユニット１１１の吸着性基板１１２が、異なる吸着性材料によって、形成されている場合には、同様にして、あらためて、スポッティング装置の溶液滴下特性が測定される。
【０３６０】
本実施態様によれば、生化学解析用ユニット１の多数の吸着性領域４に滴下された特異的結合物質を含む溶液と同一の物性を有し、蛍光物質を含む検査用溶液を調製し、生化学解析用ユニット１１１の吸着性基板１１２に、計量された検査用溶液を滴下して、基準スポット状領域１１６を形成し、吸着性基板１１２の他の位置に、スポッティング装置を用いて、同じ検査用溶液を滴下して、検査用スポット状領域１１７を形成し、基準スポット状領域１１６および検査用スポット状領域１１７に含まれている蛍光物質を、レーザ光３４によって励起し、基準スポット状領域１１６および検査用スポット状領域１１７から放出された蛍光５５を、それぞれ、光電的に検出して、生成されたディジタルデータの信号強度を比較して、スポッティング装置から滴下された溶液の量を測定しているから、きわめて高い精度で、スポッティング装置の溶液滴下特性を測定することが可能になる。
【０３６１】
本発明は、以上の実施態様に限定されることなく、特許請求の範囲に記載された発明の範囲内で種々の変更が可能であり、それらも本発明の範囲内に包含されるものであることはいうまでもない。
【０３６２】
たとえば、前記実施態様においては、特異的結合物質として、塩基配列が既知の互いに異なった複数のｃＤＮＡが用いられているが、本発明において使用可能な特異的結合物質はｃＤＮＡに限定されるものではなく、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質はすべて、本発明の特異的結合物質として使用することができる。
【０３６３】
また、前記実施態様においては、生化学解析用ユニット１の基板２に形成された多数の貫通孔３内に、ナイロン６が充填されて、形成された多数の吸着性領域４に、特異的結合物質を含む溶液を滴下して、特異的結合物質を、生化学解析用ユニット１の多数の吸着性領域４内に吸着させ、放射性標識物質によって標識された生体由来の物質および蛍光物質によって標識された生体由来の物質を、吸着性領域４に吸着されている特異的結合物質に、選択的にハイブリダイズさせて、生化学解析用ユニット１の多数の吸着性領域４に、放射線データおよび蛍光データを記録しているが、多数の吸着性領域４が形成された生化学解析用ユニット１に代えて、図１７に示される生化学解析用ユニット１１１の吸着性基板１１２の互いに離間した領域に、特異的結合物質を含む溶液を滴下して、特異的結合物質を、生化学解析用ユニット１の吸着性基板１１２内に吸着させ、放射性標識物質によって標識された生体由来の物質および蛍光物質によって標識された生体由来の物質を、吸着性基板１１２に吸着されている特異的結合物質に、選択的にハイブリダイズさせて、生化学解析用ユニット１の多数の吸着性領域４に、放射線データおよび蛍光データを記録することもできる。
【０３６４】
さらに、前記実施態様においては、放射性標識物質によって標識された生体由来の物質および蛍光色素などの蛍光物質によって標識された生体由来の物質を含むハイブリダイゼーション反応溶液９が調製され、吸着性領域４に滴下された特異的結合物質にハイブリダイズさせているが、ハイブリダイゼーション反応溶液９が、放射性標識物質によって標識された生体由来の物質および蛍光色素などの蛍光物質によって標識された生体由来の物質を含んでいることは必ずしも必要でなく、ハイブリダイゼーション反応溶液９は、放射性標識物質によって標識された生体由来の物質、化学発光基質と接触させることによって化学発光を生じさせる標識物質によって標識された生体由来の物質および蛍光色素などの蛍光物質によって標識された生体由来の物質の少なくとも一種を含んでいればよい。
【０３６５】
また、前記実施態様においては、放射性標識物質によって標識された生体由来の物質および蛍光物質によって標識された生体由来の物質が、特異的結合物質にハイブリダイズされているが、生体由来の物質を、特異的結合物質にハイブリダイズさせることは必ずしも必要でなく、生体由来の物質を、ハイブリダイゼーションに代えて、抗原抗体反応、リセプター・リガンドなどの反応によって、特異的結合物質に特異的に結合させることもできる。
【０３６６】
さらに、前記実施態様においては、合計１９２００の約０．０７平方ミリメートルのサイズを有する略円形の吸着性領域４、９４、９４ａ、９４ｂが、１２０列×１６０行のマトリックス状に、生化学解析用ユニット１、９１の基板２、９２に規則的に形成されているが、吸着性領域４、９４、９４ａ、９４ｂを略円形に形成することは必ずしも必要でなく、吸着性領域４、９４、９４ａ、９４ｂは、任意の形状、たとえば、矩形状に形成することもできる。
【０３６７】
また、前記実施態様においては、合計１９２００の約０．０７平方ミリメートルのサイズを有する略円形の吸着性領域４、９４、９４ａ、９４ｂが、１２０列×１６０行のマトリックス状に、生化学解析用ユニット１、９１の基板２、９２に規則的に形成されているが、吸着性領域４、９４、９４ａ、９４ｂの数およびサイズは、目的に応じて、任意に選択をすることができ、好ましくは、１０以上の５平方ミリメートル未満のサイズを有する吸着性領域４、９４、９４ａ、９４ｂが、１０個／平方センチメートル以上の密度で、生化学解析用ユニット１、９１の基板２，９２に形成される。
【０３６８】
さらに、前記実施態様においては、合計１９２００の約０．０７平方ミリメートルのサイズを有する略円形の吸着性領域４、９４、９４ａ、９４ｂが、１２０列×１６０行のマトリックス状に、生化学解析用ユニット１、９１の基板２、９２に規則的に形成されているが、吸着性領域４、９４、９４ａ、９４ｂを規則的に形成することは必ずしも必要でない。
【０３６９】
また、前記実施態様においては、生化学解析用ユニット１、９１の吸着性領域４、９４、９４ａ、９４ｂは、基板２、９２に形成された多数の貫通孔３、９３内に、ナイロン６が充填されて、形成され、生化学解析用ユニット１１１の吸着性基板１１２は、ナイロン６によって、形成されているが、生化学解析用ユニット１、９１の吸着性領域４、９４、９４ａ、９４ｂおよび生化学解析用ユニット１１１の吸着性基板１１２を、ナイロン６によって形成することは必ずしも必要でなく、他の吸着性材料によって、生化学解析用ユニット１、９１の吸着性領域４、９４、９４ａ、９４ｂおよび生化学解析用ユニット１１１の吸着性基板１１２を形成することもできる。生化学解析用ユニット１、９１の吸着性領域４、９４、９４ａ、９４ｂおよび生化学解析用ユニット１１１の吸着性基板１１２を形成するための吸着性材料としては、多孔質材料あるいは繊維材料が好ましく使用され、多孔質材料と繊維材料を併用して、生化学解析用ユニット１、９１の吸着性領域４、９４、９４ａ、９４ｂおよび生化学解析用ユニット１１１の吸着性基板１１２を形成することもできる。生化学解析用ユニット１、９１の吸着性領域４、９４、９４ａ、９４ｂおよび生化学解析用ユニット１１１の吸着性基板１１２を形成するために使用される多孔質材料は、有機材料、無機材料のいずれでもよく、有機／無機複合体でもよい。生化学解析用ユニット１、９１の吸着性領域４、９４、９４ａ、９４ｂおよび生化学解析用ユニット１１１の吸着性基板１１２を形成するために使用される有機多孔質材料は、とくに限定されるものではないが、活性炭などの炭素多孔質材料あるいはメンブレンフィルタを形成可能な多孔質材料が、好ましく用いられる。具体的には、ナイロン６、ナイロン６，６、ナイロン４，１０などのナイロン類；ニトロセルロース、酢酸セルロース、酪酸酢酸セルロースなどのセルロース誘導体；コラーゲン；アルギン酸、アルギン酸カルシウム、アルギン酸／ポリリシンポリイオンコンプレックスなどのアルギン酸類；ポリエチレン、ポリプロピレンなどのポリオレフィン類；ポリ塩化ビニル；ポリ塩化ビニリデン；ポリフッ化ビニリデン、ポリテトラフルオライドなどのポリフルオライドや、これらの共重合体または複合体が挙げられる。生化学解析用ユニット１、９１の吸着性領域４、９４、９４ａ、９４ｂおよび生化学解析用ユニット１１１の吸着性基板１１２を形成するために使用される無機多孔質材料は、とくに限定されるものではないが、好ましくは、たとえば、白金、金、鉄、銀、ニッケル、アルミニウムなどの金属；アルミナ、シリカ、チタニア、ゼオライトなどの金属酸化物；ヒドロキシアパタイト、硫酸カルシウムなどの金属塩やこれらの複合体などが挙げられる。生化学解析用ユニット１、９１の吸着性領域４、９４、９４ａ、９４ｂおよび生化学解析用ユニット１１１の吸着性基板１１２を形成するために使用される繊維材料は、とくに限定されるものではないが、好ましくは、たとえば、ナイロン６、ナイロン６，６、ナイロン４，１０などのナイロン類、ニトロセルロース、酢酸セルロース、酪酸酢酸セルロースなどのセルロース誘導体などが挙げられる。
【０３７０】
さらに、前記実施態様においては、図２および図３に示されたスポッティング装置の溶液滴下特性が測定されているが、スポッティング装置が、図２および図３に示される構成を有していることは必ずしも必要でなく、本発明は、任意の構成のスポッティング装置の溶液滴下特性を測定するために、広く利用することができる。
【０３７１】
【発明の効果】
本発明によれば、生体由来の物質と特異的に結合可能で、かつ、塩基配列や塩基の長さ、組成などが既知の特異的結合物質を含む溶液を、メンブレンフィルタなどの生化学解析用ユニットに滴下するスポッティング装置の滴下特性を、高い精度で、測定することができるスポッティング装置の滴下特性測定方法を提供することが可能になる。
【図面の簡単な説明】
【図１】図１は、特異的結合物質を含む溶液が滴下される生化学解析用ユニットの略斜視図である。
【図２】図２は、スポッティング装置の略平面図である。
【図３】図３は、スポッティング装置の制御系、入力系、駆動系および検出系を示すブロックダイアグラムである。
【図４】図４は、ハイブリダイゼーション反応容器の略縦断面図である。
【図５】図５は、放射線データを転写すべき蓄積性蛍光体シートの略斜視図である。
【図６】図６は、生化学解析用ユニットに形成された多数の吸着性領域に含まれた放射性標識物質によって、蓄積性蛍光体シートに形成された多数の輝尽性蛍光体層領域を露光する方法を示す略断面図である。
【図７】図７は、スキャナの略斜視図である。
【図８】図８は、図７に示されたスキャナのフォトマルチプライアの近傍を示す略斜視図である。
【図９】図９は、図８のＡ−Ａ線に沿った略断面図である。
【図１０】図１０は、図８のＢ−Ｂ線に沿った断面図である。
【図１１】図１１は、図８のＣ−Ｃ線に沿った断面図である。
【図１２】図１２は、図８のＤ−Ｄ線に沿った断面図である。
【図１３】図１３は、光学ヘッドの走査機構の略平面図である。
【図１４】図１４は、図７に示されたスキャナの制御系、入力系、駆動系および検出系を示すブロックダイアグラムである。
【図１５】図１５は、スポッティング装置の溶液滴下特性を測定するために用いられる生化学解析用ユニットの略斜視図である。
【図１６】図１６は、スポッティング装置の溶液滴下特性を測定するために用いられる蓄積性蛍光体シートの略斜視図である。
【図１７】図１７は、スポッティング装置の溶液滴下特性を測定するために用いられる生化学解析用ユニットの他の例を示す略斜視図である。
【図１８】図１８は、基準スポット状領域と、検査用スポット状領域が形成された生化学解析用ユニットの略斜視図である。
【図１９】図１９は、生化学解析用ユニットの基準スポット状領域および検査用スポット状領域を、レーザ光によって走査するスキャナの制御系、入力系、駆動系および検出系を示すブロックダイアグラムである。
【符号の説明】
１　生化学解析用ユニット
２　基板
３　貫通孔
４　吸着性領域
５　位置合わせ用貫通孔
９　スポッティングヘッド
１０　基板
１１　フレーム
１２　副走査パルスモータ
１３　レール
１４　移動可能な基板
１５　ロッド
１６　主走査パルスモータ
１７　エンドレスベルト
１８　リニアエンコーダ
１９　リニアエンコーダのスリット
２０ａ、２０ｂ　位置決めピン
２１　コントロールユニット
２２　キーボード
２５　蓄積性蛍光体シート
２６　支持体
２７　輝尽性蛍光体層領域
２８　貫通孔
２９　位置合わせ用貫通孔
３１　第１のレーザ励起光源
３２　第２のレーザ励起光源
３３　第３のレーザ励起光源
３４　レーザ光
３５　コリメータレンズ
３６　ミラー
３７　第１のダイクロイックミラー
３８　第２のダイクロイックミラー
３９　ミラー
４０　コリメータレンズ
４１　コリメータレンズ
４２　ミラー
４３　穴開きミラーの穴
４４　穴開きミラー
４５　光学ヘッド
４６　ミラー
４７　非球面レンズ
４８　凹面ミラー
５０　ステージ
５１　ガラス板
５５　蛍光あるいは輝尽光
５８　フィルタユニット
６０　フォトマルチプライア
６１ａ、６１ｂ、６１ｃ、６１ｄ　フィルタ部材
６２ａ、６２ｂ、６２ｃ、６２ｄ　フィルタ
６３　Ａ／Ｄ変換器
６４　データ処理装置
６５　積分アンプ
７０　基板
７１　副走査パルスモータ
７２　一対のレール
７３　移動可能な基板
７４　ロッド
７５　主走査ステッピングモータ
７６　エンドレスベルト
７７　リニアエンコーダ
７８　リニアエンコーダのスリット
８０　コントロールユニット
８１　キーボード
８２　フィルタユニットモータ
９１　生化学解析用ユニット
９２　基板
９３　貫通孔
９４　吸着性領域
９４ａ　第１の吸着性領域
９４ｂ　第２の吸着性領域
９５　位置合わせ用貫通孔
１００　蓄積性蛍光体シート
１０１　支持体
１０２　輝尽性蛍光体層領域
１０２ａ　第１の輝尽性蛍光体層領域
１０２ｂ　第２の輝尽性蛍光体層領域
１０３　貫通孔
１０５　位置合わせ用貫通孔
１１１　生化学解析用ユニット
１１２　吸着性基板
１１５　位置合わせ用貫通孔
１１６　基準スポット領域
１１７　検査用スポット状領域
１２０　主走査モータ
【図１】
2004037103.tif 000003
【図２】
2004037103.tif 000004
【図３】
2004037103.tif 000005
【図４】
2004037103.tif 000006
【図５】
2004037103.tif 000007
【図６】
2004037103.tif 000008
【図７】
2004037103.tif 000009
【図８】
2004037103.tif 000010
【図９】
2004037103.tif 000011
【図１０】
2004037103.tif 000012
【図１１】
2004037103.tif 000013
【図１２】
2004037103.tif 000014
【図１３】
2004037103.tif 000015
【図１４】
2004037103.tif 000016
【図１５】
2004037103.tif 000017
【図１６】
2004037103.tif 000018
【図１７】
2004037103.tif 000019
【図１８】
2004037103.tif 000020
【図１９】
2004037103.tif 000021